(57)【特許請求の範囲】
【請求項１】
ヘルメットに設けられているシールド部材であって、
透明体もしくは半透明体により構成され、
側面部の一方から他方に向かって外側に凸になって湾曲するとともに、上部から下部に向かって外側に凸になって湾曲している本体部と、
前記本体部の下端から前下方向に張り出すとともに、中央部分から両側面部に向かって細くなり、斜め上方から飛来してきて前記本体部の下方に衝突して跳ね返った飛来物が着用者の少なくとも胸に接触するのを防止するための庇部とを有し、
前記本体部及び前記庇部は、正面から見て、前記着用者の顔面の総てを覆う、
ことを特徴とするシールド部材。
【請求項２】
請求項１に記載のシールド部材において、
前記本体部の下端は、下に凸な円弧状に形成されている、
ことを特徴とするシールド部材。
【請求項３】
請求項１または請求項２に記載のシールド部材において、
前記庇部の下端が前記着用者の顎の下端よりも下方に位置している、
ことを特徴とするシールド部材。
【請求項４】
請求項１から請求項３のいずれか１項に記載のシールド部材において、
前記庇部の幅方向の中央部に、前記着用者側へ凹んで下端側へ開放する凹部が設けられている、
ことを特徴とするシールド部材。
【請求項５】
請求項１から請求項４のいずれか１項に記載のシールド部材と、
着用者の頭部を保護する帽体と、
前記シールド部材が前記帽体に収納される収納位置と前記シールド部材が前記着用者の顔面を覆う被覆位置との間を移動できるように、前記シールド部材をガイドするガイド手段とを有し、
前記シールド部材を前記収納位置に位置させた状態で、前記シールド部材の庇部と前記帽体の庇部との間に隙間が形成される、
ことを特徴とする保護帽。
【発明の詳細な説明】
【技術分野】
【０００１】
本発明は、シールド部材および保護帽に係り、特に、着用者の顔面を覆うように構成されているものに関する。
【背景技術】
【０００２】
従来、住宅の建築作業中に、釘打機で釘が跳ね返り作業者の目に刺さる等の事故対策として、作業者の目を保護するシールド（透明もしくは半透明なシールド板）付き保護帽（ヘルメット）が知られている（たとえば、特許文献１〜特許文献３参照）。
【先行技術文献】
【特許文献】
【０００３】
【特許文献１】特開２００３−０４９３１６号公報
【特許文献２】特開２００３−２５３５１９号公報
【特許文献３】特開２００３−０８２５１８号公報
【発明の概要】
【発明が解決しようとする課題】
【０００４】
しかしながら、上記従来の保護帽に設けられているシールド板は、たとえば、透明な樹脂等で平板状に形成されている素材を加熱し変形して、湾曲した形状に形成してある。
【０００５】
したがって、シールド板の部位にかかわらずシールド板の厚さがほぼ一定であり、着用者がシールド板を介して物を見るときに、シールド板の中央部を介して見る像が歪むことはほとんど無いが、シールド板の周辺部を介して見る像が歪んでしまうという問題がある。
【０００６】
すなわち、保護帽を着用者が被りシールド板で着用者の顔面を覆った状態で、着用者が正面（真前）を見る場合には、着用者が見る画像は、ほとんど歪まないが、着用者が眼球を左右や上下に動かして視線を左右上下方向にずらすと、着用者が見る画像が歪んでしまうという問題がある。
【０００７】
本発明は、上記問題点に鑑みてなされたものであり、着用者の顔面を覆うシールド部材とこのシールド部材が設置される保護帽において、飛来物が被覆位置にあるシールド部材にあたっても、飛来物がシールド部材の表面を滑って、着用者の体に接触する事態を回避することができるシールド部材および保護帽を提供することを目的とする。
【課題を解決するための手段】
【０００８】
本発明の第１のアスペクトに基づくシールド部材は、ヘルメットに設けられているシールド部材であって、透明体もしくは半透明体により構成され、側面部の一方から他方に向かって外側に凸になって湾曲するとともに、上部から下部に向かって外側に凸になって湾曲している本体部と、前記本体部の下端から前下方向に張り出すとともに、中央部分から両側面部に向かって細くなり、斜め上方から飛来してきて前記本体部の下方に衝突して跳ね返った飛来物が着用者の少なくとも胸に接触するのを防止するための庇部とを有し、前記本体部及び前記庇部は、正面から見て、前記着用者の顔面の総てを覆うシールド部材である。
【０００９】
本発明の第２のアスペクトに基づくシールド部材は、前記第１のアスペクトに基づくシールド部材において、前記本体部の下端は、下に凸な円弧状に形成されているシールド部材である。
【００１０】
本発明の第３のアスペクトに基づくシールド部材は、前記第１のアスペクトまたは前記第２のアスペクトに基づくシールド部材において、前記庇部の下端が前記着用者の顎の下端よりも下方に位置しているシールド部材である。
【００１１】
本発明の第４のアスペクトに基づくシールド部材は、前記第１のアスペクトから前記第３のアスペクトのいずれか１つに基づくシールド部材において、前記庇部の幅方向の中央部に、前記着用者側へ凹んで下端側へ開放する凹部が設けられているシールド部材である。
【００１３】
本発明の第５のアスペクトに基づく保護帽は、前記第１のアスペクトから前記第４のアスペクトのいずれか１つに基づくシールド部材と、着用者の頭部を保護する帽体と、前記シールド部材が前記帽体に収納される収納位置と前記シールド部材が前記着用者の顔面を覆う被覆位置との間を移動できるように、前記シールド部材をガイドするガイド手段とを有し、前記シールド部材を前記収納位置に位置させた状態で、前記シールド部材の庇部と前記帽体の庇部との間に隙間が形成される保護帽である。
【発明の効果】
【００１４】
本発明によれば、着用者の顔面を覆うシールド部材とこのシールド部材が設置される保護帽において、斜め上方からの飛来物が被覆位置にあるシールド部材にあたっても、飛来物がシールド部材の表面を滑って、着用者の少なくとも胸に接触する事態を回避することができるという効果を奏する。
【図面の簡単な説明】
【００１５】
【図１】本発明の第１の実施形態に係る保護帽１を、着用者が被ったときの斜視図である。
【図２】保護帽１を着用者が被ったときの正面図である。
【図３】保護帽１を着用者が被ったときの側面図である。
【図４】保護帽１を着用者が被ったときの斜視図である。
【図５】保護帽１を着用者が被ったときの正面図である。
【図６】保護帽１を着用者が被ったときの側面図である。
【図７】保護帽１の断面図である。
【図８】保護帽１を内側から見た図である。
【図９】ガイド部材１１とシールド板５とを組立てた状態を示す斜視図である。
【図１０】ガイド部材１１とシールド板５とを組立てた状態を示す斜視図である。
【図１１】シールド板５の概略構成を示す斜視図である。
【図１２】シールド板５の概略構成を示す正面図である。
【図１３】シールド板５の概略構成を示す側面図である。
【図１４】図１２におけるＸＩＶ矢視図である。
【図１５】図１２におけるＸＶ−ＸＶ断面を示す図である。
【図１６】図１２におけるＸＶＩ−ＸＶＩ断面を示す図である。
【図１７】ガイド部材１１の概略構成を示す正面図である。
【図１８】図１７におけるＸＶＩＩＩ矢視図である。
【図１９】図１７におけるＸＩＸ矢視図である。
【図２０】シールド板５の断面を示す図であって図１６に対応した図である。
【図２１】本発明の第２の実施形態に係る保護帽２０１を、着用者が被ったときの斜視図である。
【図２２】保護帽２０１を、着用者が被ったときの斜視図である。
【図２３】保護帽２０１の断面図である。
【図２４】保護帽２０１を内側から見た図である。
【図２５】保護帽２０１を内側から見た図である。
【図２６】図２３におけるＸＸＶＩ−ＸＸＶＩ断面である。
【図２７】保持手段２６１の具体的構成を示す図である。
【図２８】本発明の第３の実施形態に係る保護帽３０１の概略構成を示す図である。
【図２９】保護帽３０１の帽体３０３と汎用の保護帽の帽体３００との外形の違いを示す図である。
【図３０】保護帽３０１の断面図である。
【図３１】着用者が保護帽３０１を被った状態を示す図である。
【図３２】内側部材３２１の概略構成を示す斜視図である。
【図３３】図２８におけるＸＸＸＩＩＩ−ＸＸＸＩＩＩ断面図である。
【図３４】保護帽３０１の変形例を示す図である。
【図３５】本発明の第４の実施形態に係る保護帽３５１の概略構成を示す図である。
【図３６】保護帽３５１の概略構成を示す図である。
【図３７】図３６のＸ部の拡大図である。
【図３８】本発明の第５の実施形態に係る保護帽の概略構成を示す分解斜視図である。
【図３９】保護帽の概略構成を示す断面図である。
【図４０】保護帽の正面図であって、図３９におけるＸＬ矢視図である。
【図４１】保護帽の底面図であって、図３９におけるＸＬＩ矢視図である。
【図４２】帽体とガイド部材との係合状態、帽体とあご紐やハンモックとの係合状態を示す図である。
【図４３】ガイド部材とシールド板との組立体を示す図である。
【図４４】ガイド部材とシールド板との組立体を示す図である。
【図４５】ガイド部材におけるガイド部等の詳細を示す図である。
【図４６】帽体の概略構成を示す図である。
【図４７】帽体に設けられている側方部位被係合部を示す図である。
【図４８】帽体に設けられている中央部位被係合部を示す図である。
【図４９】ガイド部材を示す図である。
【図５０】ガイド部材を示す図である。
【図５１】ガイド部材係止部を示す図である。
【図５２】シールド板を示す図である。
【図５３】シールド板を示す図である。
【発明を実施するための形態】
【００１６】
［第１の実施形態］
図１、図４は、本発明の第１の実施形態に係る保護帽１を、着用者が被ったときの斜視図であり、図２、図５は、保護帽１を着用者が被ったときの正面図であり、図３、図６は、保護帽１を着用者が被ったときの側面図である。
【００１７】
なお、図１、図２、図３は、シールド板５を収納位置Ｐ１に位置させた状態を示しており、図４、図５、図６は、シールド板５を被覆位置Ｐ３に位置させた状態を示している。
【００１８】
図７は、保護帽１の中心を通り保護帽１の前後上下方向に展開する平面による保護帽１の断面図であり、図８は、保護帽１を内側から見た図である。なお、図７（ｂ）は、図７（ａ）のＢ部の拡大図である。
【００１９】
図９、図１０は、ガイド部材１１とシールド板５とを組立てた状態を示す斜視図である。なお、図９は、シールド板５を収納位置Ｐ１に位置させた状態を示しており、図１０は、シールド板５を被覆位置Ｐ３に位置させた状態を示している。
【００２０】
図１１は、シールド板５の概略構成を示す斜視図であり、図１２は、シールド板５の概略構成を示す正面図であり、図１３は、シールド板５の概略構成を示す側面図であり、図１４は、図１２におけるＸＩＶ矢視図であり、図１５は、図１２におけるＸＶ−ＸＶ断面を示す図であり、図１６は、図１２におけるＸＶＩ−ＸＶＩ断面を示す図である。
【００２１】
図１７は、ガイド部材１１の概略構成を示す正面図であり、図１８は、図１７におけるＸＶＩＩＩ矢視図であり、図１９は、図１７におけるＸＩＸ矢視図である。
【００２２】
なお、以下において、保護帽（帽体、シールド板、ガイド部材等）における各方向を、幅方向（左右方向）、前後方向、上下方向とし、「右」、「左」、「上」、「下」、「前」、「後」という文言を使用して説明する場合がある。上記各方向は、保護帽を起立（直立）している着用者が被った場合における方向であり、上記３つの各方向は、お互いにほぼ直交している。
【００２３】
保護帽（シールド面付きヘルメット）１は、たとえば、ほぼ左右対称に形成されている帽体３とシールド板５とシールド板５をガイドするガイド手段７とを備えて構成されている。
【００２４】
帽体３は、着用者の頭部を保護するためのものであり、たとえば、樹脂等の材料で構成されて、椀状（たとえば、半球殻状）に形成されている。
【００２５】
ここで、半球殻とは、所定の半径の第１の球から、この第１の球の半径よりも僅かに小さい半径で前記第１の球と中心が一致する第２の球を取り除いた形状の立体を、前記各球の中心もしくはこの近傍を通る平面で２分割したときに形成される一方の立体である。
【００２６】
帽体３は、「半球殻状」に形成されているのであって、完全な「半球殻」な形状に形成されているわけではない。すなわち、帽体３は、着用者の頭部の形状に合うようにする等のために、曲率半径が適宜変化している形状に形成されている。また、帽体３の開口部（淵；下側の端）９も、完全な円形ではなく、着用者の頭部の形状に合うようにする等のために、曲率半径が適宜変化している円形状に形成されている。
【００２７】
帽体３が半球殻状に形成されていることにより、直立している着用者が保護帽１を被った場合、帽体３の開口部９は、ほぼ水平になっており、開口部９は、着用者の耳よりも僅かに上側に位置しており、着用者の耳が露出している（図１〜図６参照）。なお、帽体３の開口部９の前側には、庇部１０が設けられている。
【００２８】
シールド板（面体；シールド部材）５は、着用者の顔面のほぼ総てを保護するためのものであり、樹脂等の透明（有色透明を含む）なもしくは半透明な材料で構成されている。
【００２９】
ガイド手段７は、シールド板５が帽体３に対して移動するときに、シールド板５をガイドする手段であり、ガイド手段７でガイドされることにより、シールド板５が、収納位置Ｐ１と被覆位置Ｐ３との間で、円弧状の軌跡を描いて移動するようになっている。収納位置Ｐ１は、シールド板５が、帽体３の前側内部に収納される位置であり、被覆位置Ｐ３は、シールド板５が、着用者の顔面（頭部の前面）のほぼ総てを覆う位置である。なお、保護帽１を直立している着用者が被り被覆位置Ｐ３にシールド板５を位置させた状態で、着用者の前方から見ると、着用者の耳がシールド板５で隠れているものとする。
【００３０】
ガイド手段７でガイドされるシールド板５は、帽体３から容易には分離されないようになっていると共に、保護帽１の左右方向に移動することは無く、保護帽１（帽体３）の左右方向に延びた所定の軸Ｃ１（図３、図６、図７参照）を回動中心として移動（回動）するようになっている。所定の軸Ｃ１は、着用者の耳の後方に部位を通って、帽体３の左右方向（図３、図６、図７の紙面に直交する方向）に延びている。
【００３１】
ガイド手段７は、たとえば、ガイド部材１１に設けられたガイド部１３と、シールド板５に設けられた係合部１５とを備えて構成されている。
【００３２】
ガイド部１３は、円弧状に形成されている。ガイド部材１１を帽体３に設置した状態では、所定の軸Ｃ１を中心にして、帽体３の前側の内部で、ガイド部１３が帽体３に一体的に設けられている。また、ガイド部１３は、ガイド部材１１のたとえば幅方向の両端部と中央部とに設けられている。
【００３３】
シールド板５は、湾曲した板状に形成されている。シールド板５の幅方向のたとえば両端側の部位と中央部とには、ガイド部１３に係合する係合部１５が設けられている。そして、係合部１５がガイド部１３に係合することにより、収納位置Ｐ１と被覆位置Ｐ３との間で、シールド板５が移動するようになっている。
【００３４】
収納位置Ｐ１にシールド板５が位置している状態について詳しく説明すると、この状態で、シールド板５が帽体３の内部に完全に収容されているわけではなく、シールド板５の下端部（庇１７が設けられている下端部）とこの近傍の部位が、帽体３の下端部（帽体３前側の開口部）９から下方に突出している。なお、庇（庇部）１７は、シールド板５の下端部で反転している。すなわち、庇１７は、逆方向（着用者の顔面から離れる方向）に曲がって延出している。これにより、飛来物がシールド板（被覆位置Ｐ３にあるシールド板）５にあたっても、飛来物がシールド板５の表面を滑って、着用者の体に接触する事態を回避することができる。
【００３５】
収納位置Ｐ１にシールド板５が位置している状態において、シールド板５の下端部やこの近傍の部位が帽体３の下端部９から下方に突出していても、着用者の邪魔になることはなく、着用者は、シールド板５の存在をその視界で意識することなく保護帽１を被ることができるようになっている。また、シールド板５の上端部は、帽体３の頂上部付近に位置している。なお、シールド板５の庇１７を削除し、収納位置Ｐ１にシールド板５が位置している状態において、シールド板５が帽体３の内部に完全に収容される構成であってもよい。
【００３６】
被覆位置Ｐ３にシールド板５が位置している状態では、シールド板５の下端部が、着用者の顎よりも下側に位置して、シールド板５が着用者の顔面のほぼ総てを覆っている。すなわち、正面から見た場合、シールド板５によって、着用者の顔面の総てが覆われている（図４〜図６参照）。また、シールド板５の上端部は、帽体３の下端部（帽体３の前側の開口部９）の近傍で帽体３の内部に位置している。
【００３７】
ガイド部材１１は、たとえば、樹脂等で構成されており、中央部位１９と第１の側方部位２１と第２の側方部位２３とを備えて一体的に構成されている。中央部位１９は、球面状の曲面を備えて板状（湾曲した板状）に形成されている。第１の側方部位２１は、中央部位１９の幅方向の一端部側で中央部位１９に一体的に設けられている。第２の側方部位２３は、中央部位１９の幅方向の他端部側で中央部位１９に一体的に設けられている。
【００３８】
第１の側方部位２１は、基端部側部位（中央部位１９側の部位）２５と先端部側部位２７とで構成されており、第２の側方部位２３も同様にして、基端部側部位（中央部位１９側の部位）２９と先端部側部位３１とで構成されている。そして、各部位２５，２９にガイド部１３の一部が形成されている。
【００３９】
また、第１の側方部位２１の先端部側部位２７と第２の側方部位２３の先端部側部位３１とが帽体３に係合して（たとえば帽体３の側方の下側内面に面接触して）、ガイド部材１１が帽体３に一体的に設けられている。
【００４０】
シールド板５は、帽体３と中央部位１９および各側方部位２１，２３の基端部側部位２５，２９との間に形成された空間内に入り込んで、帽体３の内部に収納されるようになっている。
【００４１】
第１の側方部位２１の先端部側部位２７は、帽体３の一方の側方の下側内面と面接触する曲面を備えた板状（湾曲した板状）に形成されており、第２の側方部位２３の先端部側部位３１も同様にして、帽体３の他方の側方の下側内面と面接触する曲面を備えた板状（湾曲した板状）に形成されている。
【００４２】
第１の側方部位２１の基端部側部位２５は、起立部位３３と連結部位３５とを備えて構成されている。起立部位３３は、細長い板状に形成されており、幅方向が起立方向になるようにして、第１の側方部位２１の先端部側部位２７から、交差する方向で斜め起立している。連結部位３５は、細長い板状に形成されており、幅方向の一端部が中央部位１９に一体的に設けられ、幅方向の他端部が起立部位３３に一体的に設けられて、起立部位３３と中央部位１９とをつないでいる。
【００４３】
ガイド部材１１が帽体３に一体的に設けられた状態では、起立部位３３が帽体３の内面から斜め前方の方向（帽体３の内側方向）に立ち上がっており、連結部位３５（連結部位３５の厚さ方向の各面）が、保護帽１のほぼ前後上下方向に展開している。
【００４４】
同様にして、第２の側方部位２３の基端部側部位２９は、起立部位４１と連結部位４３とで構成されている。
【００４５】
ガイド部材１１のガイド部１３は、連結部位３５に形成された円弧状の長孔３９と、連結部位４３に形成された円弧状の長孔４７と、ガイド部材１１の幅方向の中央部でガイド部材１１の上下方向に延びて形成されている被係合部６３（溝６５；中央部位１９の中央部）とで構成されている。
【００４６】
シールド板５の係合部１５は、シールド板５の幅方向の両端部に設けられている各係合片５１，５９と、シールド板５に設けられている突起３７とで構成されている。
【００４７】
係合片５１は、図８、図９、図１０、図２６で示すように、シールド板５の幅方向の一端側の上端部側でシールド板５の内側に突出して、シールド板５に一体的に設けられている。係合片５１は、円柱状の基端部５３と、基端部５３よりも外径が大きい円板状に形成された傘部５５とを備えた傘状に形成されている。係合片５１は、ガイド部材１１の基端部側部位２５に設けられている長孔３９に、長孔３９の幅よりも外径が僅かに小さい基端部５３が入り込んで、滑り対偶をなして係合している。なお、傘部５５の外径は、長孔３９の幅よりも大きくなっている。同様にして、シールド板５の幅方向の他方の側には、係合片５９とが設けられており、係合片５９が長孔４７に係合している。
【００４８】
突起３７は、図１２〜図１４で示すように、シールド板５の幅方向では中央部で、シールド板５の上下方向では上端部側で、シールド板５の内側（凹面側）に突出してシールド板５に一体的に設けられている。
【００４９】
溝６５の長手方向の両端部には、ガイド部材１１を貫通している部位６７，６９が形成されている。溝６５の長手方向の中間部には、ガイド部材１１の内側に凹んでいる細長い板状のガイド凹部７０が形成されている。そして、係合片５１が長孔３９に係合し、係合片５９が長孔４７に係合し、突起３７の先端部が、ガイド凹部７０に滑り対偶をなして係合することにより、シールド板５が、ガイドされて移動するようになっている。
【００５０】
ガイド部材１１を帽体３の内部に設置したときには、図７で示すように、保護帽１の前側では、外側に帽体３、内側にガイド部材１１が位置した二重構造になっており、帽体３とガイド部材１１との間に、シールド板５が入り込むようになっている。
【００５１】
ガイド部材１１を帽体３に設置したときには、連結部位３５（４３）の円弧状の長孔３９（４７）の中心は、所定の軸Ｃ１（図３、図６、図７参照）と一致する。したがって、シールド板５は、所定の軸Ｃ１を中心にして回動するようになっている。
【００５２】
また、ガイド部材１１の中央部位１９の断面（図７に示す断面）は、中心が所定の軸Ｃ１である円弧状に形成されている。また、シールド板５の断面（図７に示す断面）は、所定の軸Ｃ３を中心とする円弧状に形成されている。所定の軸Ｃ３は、所定の軸Ｃ１と平行に延びており所定の軸Ｃ１よりも僅かに上方で後方に位置している。
【００５３】
ガイド部材１１の中央部位１９の曲率半径が長孔３９（４７）の曲率半径よりも大きくなっており、ガイド部材１１の中央部位１９の曲率半径と、シールド板５の曲率半径とは、お互いがほぼ等しくなっている。
【００５４】
また、図７で示す断面では、シールド板５が収納位置Ｐ１に位置している場合、ガイド部材１１の中央部位１９の上端部と、シールド板５の上端部とが、帽体３の上下方向では帽体３の上側に位置しており、帽体３の前後方向では、帽体３の中央部に位置している。また、ガイド部材１１の中央部位１９の下端部と、シールド板５の下端部とが、帽体３の前方の下端部の近くに位置している。
【００５５】
また、保護帽１には、シールド板５を保持する保持手段６１が設けられている。保持手段６１は、シールド板５が収納位置Ｐ１や被覆位置Ｐ３に位置しているときに、シールド板５が帽体３に対して容易に移動しないように、シールド板５を保持する手段である。
【００５６】
保持手段６１は、たとえば、シールド板５に設けられている突起３７と、ガイド部材１１に設けられている被係合部６３とで構成されている。被係合部６３は、ガイド部材１１の幅方向の中央部でガイド部材１１の上下方向に延びて形成されている溝６５を備えて構成されている。
【００５７】
ガイド溝６５における長手方向の一端部（上端部）側の部位６７は、中央部よりも狭い幅Ｂ１に形成されており、ガイド溝６５における長手方向の他端部（下端部）側の部位６９も、同様にしては、狭い幅Ｂ１に形成されている。また、シールド板５に設けられている円柱状の突起３７の外径Ｄ１が、幅Ｂ１よりもごく僅かに大きく形成されている。
【００５８】
そして、シールド板５が収納位置Ｐ１に位置しているときには、突起３７が上端部側の部位６７に入り込み、シールド板５が容易には移動しないようになっている。また、シールド板５が被覆位置Ｐ３に位置しているときには、突起３７が下端部側の部位６９に入り込み、シールド板５が容易には移動しないようになっている。
【００５９】
ところで、保護帽１には、図示しない内装体（たとえばハンモック）が設けられており、帽体３やガイド部材１１には、ハンモックを係止するための複数の係止部７１が設けられている。各係止部７１のうちで後側に位置している各係止部７１Ａは、帽体３の内面に一体的に設けられており、各係止部７１のうちで前側に位置している各係止部７１Ｂは、ガイド部材１１の内面に一体的に設けられている。
【００６０】
ここで、シールド板５についてさらに詳しく説明する。
【００６１】
シールド板５は、前述したように、着用者の頭部を保護する帽体３に設置されて着用者の顔面のたとえばほぼ総てを覆うものであり、透明体もしくは半透明体で湾曲した板状に形成されている。
【００６２】
シールド板５は、厚さ方向の一方の側が凹状で厚さ方向の他方の側が凸状である湾曲した板状に形成されている。そして、中央部から周辺部に向かうにしたがって、厚さが徐々に薄くなっている（図１５、図１６参照）。なお、シールド板５は、たとえば、アクリルやポリカーボネイト等の樹脂で構成されており、射出成形で成形されている。また、シールド板５は、ＡＮＳＩ規格に応じて、１．６ｍｍ〜２．０ｍｍ程度の厚さで形成されており、高速衝撃試験を施しても割れないようになっている。
【００６３】
シールド板５が湾曲した板状に形成されていることにより、着用者の顔面側であるシールド板５の内側の面（厚さ方向の一方の面）が凹状に形成されており、厚さ方向の他方の面である外側の面が凸状に形成されている。また、シールド板５は、左右方向の曲率半径が上下方向の曲率半径よりも小さく形成されており、左右方向における厚さの変化の割合が、上下方向における厚さの変化の割合よりも大きく形成されている（図１５、図１６参照）。なお、シールド板の上下方向における円弧の中心は、軸Ｃ３と一致している。一方、シールド板５の左右方向における円弧の中心は、たとえば、帽体３の開口部９の中心を通る軸とほぼ一致している。
【００６４】
さらに、シールド板５は、本体部７３と庇部１７とを備えて構成されており、本体部７３が、前述したように湾曲した板状に形成されている。シールド板５の本体部７３の凸面（凹面）は、所定の３次曲面に近似した所定形状に形成されている。上記所定の３次曲面は、軸方向の中央部が膨らんだ円柱状の形状である樽状の立体の側面を、前記軸を含む第１の平面と、前記軸を含んで前記第１の平面と所定の角度で交差する第２の平面とで切断したときに得られる４つの３次曲面のうちの１つの曲面である。
【００６５】
なお、図１２で示すように、シールド板５の本体部７３の上端や左右方向の両端は、正面から見た場合に直線状に形成されており、シールド板５の本体部７３の下端は、下に凸な円弧状に形成されている。
【００６６】
庇部１７は、上述したように、本体部７３の下方で本体部７３とは反対側に曲がって突出している。
【００６７】
より詳しく説明すると、庇部１７は、図１２で示すように、正面から見た場合に三日月形状で板状に形成されており、三日月形状の凹状に形成されている部位がシールド板５の本体部７３の下端につながって、本体部７３の下端から下方に突出して本体部７３と一体になっている。また、図１３（図６）で示すように、直立している着用者が帽体３を被りシールド板５で着用者の顔面を覆ったとき、庇部１７は、この上端（本体部７３側の端）から下端に向かうにしたがって、着用者の顔面から離れる方向（前方）に突出している。
【００６８】
また、庇部１７の幅方向の中央部には、本体部７３の内側（後側；着用者の顔面側）に所定の幅で凹んでいる凹部７５が形成されている。
【００６９】
ここで、保護帽１を着用してシールド板５を出入りさせる動作について説明する。
【００７０】
まず、シールド板５が収納位置Ｐ１に位置している状態で、着用者が保護帽１を被る。シールド板５を被覆位置Ｐ３に位置させて作業をする必要がある場合には、シールド板５の下端部（たとえば庇部１７）を、下方に引っ張ってシールド板５を下方に移動させると、突起３７がガイド溝６５の下端部側の部位６９に入り込み、シールド板５が被覆位置Ｐ３に位置し、シールド板５が被覆位置Ｐ３からは容易には移動しないようになる。
【００７１】
一方、被覆位置Ｐ３に位置しているシールド板５を、収納位置Ｐ１に位置させる場合には、シールド板５を押し上げて上方に移動させると、突起３７がガイド溝６５の上端部側の部位６７に入り込み、シールド板５が収納位置Ｐ１に位置し、シールド板５が収納位置Ｐ１からは容易には移動しないようになる。
【００７２】
保護帽１によれば、シールド板５が、この中央部から周辺部に向かうにしたがって、厚さが徐々に薄くなっている構成であるので、着用者がシールド板５を介して正面を見た場合における光路長（シールド板内における光路長）と、着用者がシールド板５を介して周辺を見た場合とにおける光路長（シールド板内における光路長）との差を小さくすることができ、着用者がシールド板５の周辺部を介してものを見たときであっても、像の歪みを極力少なくすることができる。
【００７３】
すなわち、図２０（シールド板５の断面を示す図であって図１６に対応した図）に示すように、シールド板５における光路長Ｌ１１と光路長Ｌ２１との差が小さくなっており、光路長Ｌ１１と光路長Ｌ３１との差が小さくなっているので、像の歪みを極力少なくすることができる。
【００７４】
ここで、図２０に示す参照符号Ｆ０は、本実施形態に係るシールド板５の外側の面（凸面）を示しており、参照符号Ｆ１は、本実施形態に係るシールド板５の内側の面（凹面）を示している。これにより、本実施形態に係るシールド板５の厚さが、中央部から周辺部に向かうにしたがって、徐々に薄くなっている。一方、参照符号Ｆ０は、従来のシールド板の外側の面を示しており、参照符号Ｆ２は、従来のシールド板の内側の面を示しており、これにより、従来のシールド板の厚さは一定になっている。
【００７５】
参照符号Ｒ１は、正面から着用者の目ＥＹに入る光の光路を示しており、参照符号Ｒ２、Ｒ２ａは、側面側（シールド板の周辺部）から着用者の目ＥＹに入る光の光路を示しており、参照符号Ｒ３、Ｒ３ａは、さらなる側面側から着用者の目ＥＹに入る光の光路を示している。
【００７６】
正面から着用者の目ＥＹに入る光（光路Ｒ１の光）のシールド板５における光路長（本実施形態に係るシールド板５における光路長）Ｌ１１と光路長（従来のシールド板における光路長）Ｌ１２とは、お互いの長さが等しくなっている。
【００７７】
一方、空気の屈折率に比べてシールド板の屈折率が大きいので、スネルの法則により、側面側から着用者の目ＥＹに入る光（光路Ｒ２、Ｒ２ａの光）のシールド板における光路長（従来のシールド板における光路長）Ｌ２２に比べて、光路長（本実施形態に係るシールド板５における光路長）Ｌ２１が短くなっており、光路長Ｌ２１の長さは、光路長Ｌ１１の長さとほぼ等しくなっている。同様にして、光路長Ｌ３２に比べて、光路長Ｌ３１が短くなっており、光路長Ｌ３１の長さは、光路長Ｌ１１の長さとほぼ等しくなっている。これにより、像の歪みを極力少なくすることができるようになっている。
【００７８】
また、保護帽１によれば、シールド板５の左右方向における曲率半径が上下方向における曲率半径よりも小さく形成されており、左右方向における厚さの変化の割合が、上下方向における厚さの変化の割合よりも大きく形成されているので、着用者の顔面形態に合わせて、着用者がシールド板５の周辺部を介してものを見るときにおける像の歪みを極力少なくすることができる。
【００７９】
すなわち、シールド板５の上下方向の曲率半径が左右方向の曲率半径よりも大きく形成されているので、着用者の顔面の形状に適合して着用者の顔面を覆うことができる。また、シールド板５の上下方向の曲率半径が左右方向の曲率半径よりも大きくなっているので、シールド板５の上下方向における厚さの変化の割合を左右方向における厚さの変化の割合より小さくして、像の歪みを極力少なくしている。
【００８０】
また、保護帽１によれば、シールド板５の庇部１７が、本体部７３の下方で本体部７３とは反対側（逆方向；着用者の顔面から離れる方向）に曲がって突出しているので、上述したように、飛来物がシールド板５にあたっても、飛来物がシールド板５の表面を滑って、着用者の体に接触する事態を回避することができる。
【００８１】
すなわち、図６に矢印Ａ６で示すように、斜め上方から飛来してきた飛来物が、シールド板５の下方に浅い角度で衝突すると、衝突して跳ね返った飛来物が、着用者の胸や腹まで到達するおそれがある。なお、図６では、着用者が水平方向を向いているので、上記おそれは、少ないが、着用者が上方を向いて作業をしているときには、上記衝突して跳ね返った飛来物が、重力の影響で着用者の胸や腹まで到達するおそれが高くなる。しかし、庇部１７が設けられているので、上記衝突して跳ね返った飛来物が、庇部１７に再衝突し着用者から離れた箇所に落下するようになっており、着用者の体まで到達する事態を回避することができる。
【００８２】
また、保護帽１によれば、凹部７５が設けられていることにより、保護帽１の着用者がシールド板５を操作しやすくなっている。
【００８３】
すなわち、たとえば、シールド板５が収納位置Ｐ１に存在している状態では、シールド板５の庇部１７に凹部７５が設けられているので、シールド板５の庇部１７と帽体３の庇部１０との間に、着用者が指を入れることができる隙間が形成されている。そして、収納位置Ｐ１に存在しているシールド板５を被覆位置Ｐ３に位置させる場合、上記隙間に着用者が指を入れてシールド板５を容易に下方に移動させて被覆位置Ｐ３に位置させることができる。
【００８４】
さらに、保護帽１によれば、シールド板５が常に帽体３に設置されており、また、ガイド手段７により、シールド板５が所定の軸Ｃ１を中心にして回動して移動するようになっているので、シールド板５の付け忘れを防止することができると共に、帽体３を大きくせず従来の形状をほぼ保ったままで、シールド板５の移動ストロークを長くすることができる。そして、シールド板５の長さ（高さ）が、着用者の顔面のほぼ総てを覆うことができる長さであっても、着用者の邪魔にならないように、シールド板５を帽体３の内部にほぼ納めることができる。
【００８５】
また、帽体３が、着用者の耳部を覆う部位が除去された形状である半球殻状に形成されているので、保護帽１が小型化されて質量が軽減されていると共に着用者に放感を与えることができる。
【００８６】
また、保護帽１によれば、シールド板５が、円弧状のガイド部１３でガイドされ円弧状の軌跡を描いて移動するので、シールド板５の移動ストロークをさらに長くすることができ、着用者の顔面のほぼ総てを覆うことができる長さのシールド板５を採用しても、着用者の邪魔にならないように、シールド板５を帽体３の内部にほぼ納めることが一層容易になる。
【００８７】
また、保護帽１によれば、円弧状のガイド部１３が所定の軸Ｃ１を中心にした円弧状に形成れて帽体３の内部に設けられているので、着用者の耳を覆うことがない半球殻状の帽体３を採用することができる。すなわち、シールド板５を所定の軸Ｃ１のところで帽体に支持させる構成であると、シールド板５を支持する回動軸（シールド板５の軸Ｃ１のところに位置している回動軸）を帽体３に別途設けなければならず、これにより、帽体３に耳部（着用者の耳部を覆う部位）等を設ける必要が生じ、帽体３を半球殻状にすることができなくなる。しかし、保護帽１は、帽体３に耳部を設けることなく帽体３の形状を半球殻状にすることができる。
【００８８】
また、保護帽１によれば、ガイド部材１１が一体的に構成されており、帽体３の左右方向の２箇所で帽体３に接触して一体的に設けられているので、ガイド部材１１自体の剛性と、ガイド部材１１を帽体３に取り付けたときの取り付け剛性とが高くなっている。
【００８９】
また、内装体を構成するハンモックを係止する係止部７１Ｂを、ガイド部１３やシールド板５との干渉を避けて、ガイド部材１１の中央部位１９の内側に設けることができる。
【００９０】
なお、シールド板として、着用者の顔の上半分のみを覆うハーフタイプのものを採用してもよい。
【００９１】
［第２の実施形態］
図２１、図２２は、本発明の第２の実施形態に係る保護帽２０１を、着用者が被ったときの斜視図であり、図２３は、保護帽２０１の断面図であり、図２４、図２５は、保護帽２０１を内側から見た図である。
【００９２】
なお、図２１、図２４は、シールド板２０５を収納位置Ｐ２０１に位置させた状態を示しており、図２２、図２５は、シールド板２０５を被覆位置Ｐ２０３に位置させた状態を示している。また、図２３は、保護帽２０１の中心を通り保護帽２０１の前後上下方向に展開する平面による断面図である。
【００９３】
保護帽（シールド面付きヘルメット）２０１は、たとえば、ほぼ左右対称に形成されている帽体２０３とシールド板２０５とシールド板２０５をガイドするガイド手段２０７とを備えて構成されている。
【００９４】
帽体２０３は、着用者の頭部を保護するためのものであり、たとえば、樹脂等の材料で構成されて、椀状（たとえば、半球殻状）に形成されている。
【００９５】
帽体２０３は、帽体３と同様に、「半球殻状」に形成されているのであって、完全な「半球殻」な形状に形成されているわけではない。すなわち、帽体２０３は、着用者の頭部の形状に合うようにするために、曲率半径が適宜変化している形状に形成されている。また、帽体２０３の開口部（淵；下端）２０９も、完全な円形ではなく、着用者の頭部の形状に合うようにするために、曲率半径が適宜変化している円形状に形成されている。
【００９６】
帽体２０３が半球殻状に形成されていることにより、帽体２０３の外面および内面は、急な曲がり部分が存在しない滑らかな球面状になっている。また、帽体２０３が半球殻状に形成されていることにより、直立している着用者が保護帽２０１を被った場合、帽体２０３の開口部２０９は、ほぼ水平になっており、開口部２０９は、着用者の耳よりも僅かに上側に位置しており、着用者の耳が露出している（図２１、図２２参照）。
【００９７】
シールド板（面体；シールド部材）２０５は、たとえば、第１の実施形態に係るシールド板５と同様に形成されており、着用者の顔面のほぼ総てを保護するためのものであり、樹脂等の透明（有色透明を含む）な若しくは半透明な材料で構成されている。
【００９８】
ガイド手段２０７は、ガイド手段７と同様にして、シールド板２０５が帽体２０３に対して移動するときに、シールド板２０５をガイドする手段であり、ガイド手段２０７でガイドされることにより、シールド板２０５が、収納位置Ｐ２０１と被覆位置Ｐ２０３との間で、帽体２０３の内部の曲面（凹な球面状に形成された帽体２０３の前側の内部曲面）に沿って円弧状の軌跡を描いて移動するようになっている。上側に位置している収納位置Ｐ２０１は、シールド板２０５が、帽体２０３の前側内部に収納される位置であり、下側に位置している被覆位置Ｐ２０３は、シールド板２０５が、着用者の顔面（頭部の前面）のほぼ総てを覆う位置である。
【００９９】
ガイド手段２０７でガイドされるシールド板２０５は、帽体２０３から容易には分離されないようになっていると共に、保護帽２０１の左右方向に移動することは無く、保護帽２０１（帽体２０３）の左右方向に延びた所定の軸Ｃ２０１（図２３参照）を回動中心として移動（回動）するようになっている。所定の軸Ｃ２０１は、着用者の左右の耳のところを通って、帽体２０３の左右方向（図２０３の紙面に直交する方向）に延びている。
【０１００】
ガイド手段２０７は、たとえば、ガイド部材２１１に設けられたガイド部２１３と、シールド板２０５に設けられた係合部２１５とを備えて構成されている。
【０１０１】
ガイド部２１３は、円弧状（完全な円弧ではなく円弧に近い形状）に形成されており、ガイド部２１３が帽体２０３の前側の内面に沿うようにして（たとえば、ほぼ平行になるようにして）、ガイド部材２１１が、帽体２０３の前側の内部で帽体２０３に一体的に設けられている。ガイド部２１３は、ガイド部材２１１のたとえば幅方向の両端部に設けられている。
【０１０２】
シールド板２０５は、帽体２０３の前側内面に沿った球面状の曲面（たとえば、帽体２０３の前側の面よりも曲率半径が僅かに小さい曲面）を備えた板状（湾曲した板状）に形成されている。シールド板２０５の幅方向の両端側の部位には、ガイド部２１３に係合する係合部２１５が設けられている。そして、係合部２１５がガイド部２１３に係合することにより、収納位置Ｐ２０１と被覆位置Ｐ２０３との間で、シールド板２０５が移動するようになっている。
【０１０３】
収納位置Ｐ２０１にシールド板２０５が位置している状態について詳しく説明すると、この状態で、シールド板２０５が帽体２０３の内部に完全に収容されているわけではなく、シールド板２０５の下端部（庇２１７が設けられている下端部）とこの近傍の部位が、帽体２０３の下端部（帽体２０３前側の開口部）２０９から下方に突出している。なお、庇（庇部）２１７は、第１の実施形態の場合と同様にして、シールド板２０５の下端部で反転している。すなわち、庇２１７は、逆方向（着用者の顔面から離れる方向）に曲がって延出している。これにより、飛来物がシールド板（被覆位置Ｐ２０３にあるシールド板）２０５にあたっても、飛来物がシールド板２０５の表面を滑って、着用者の体に接触する事態を回避することができる。なお、第１の実施形態の場合と同様にして、シールド板２０５の幅方向の中央部に凹部７５を設けてもよい。
【０１０４】
収納位置Ｐ２０１にシールド板２０５が位置している状態においてシールド板２０５の下端部やこの近傍の部位が帽体２０３の下端部２０９から下方に突出していても、着用者の邪魔になることはなく、着用者は、シールド板２０５の存在をその視界で意識することなく保護帽２０１を被ることができるようになっている。また、シールド板２０５の上端部は、帽体２０３の頂上部付近に位置している。なお、シールド板２０５の庇２１７を削除し、収納位置Ｐ２０１にシールド板２０５が位置している状態において、シールド板２０５が帽体２０３の内部に完全に収容される構成であってもよい。
【０１０５】
被覆位置Ｐ２０３にシールド板２０５が位置している状態では、シールド板２０５の下端部が、着用者の顎よりも下側に位置して、シールド板２０５が着用者の顔面のほぼ総てを覆っている。すなわち、正面から見た場合、シールド板２０５によって、着用者の顔面の総てが覆われている。シールド板２０５の上端部は、帽体２０３の下端部（帽体２０３の前側の開口部２０９）の近傍で帽体２０３の内部に位置している。
【０１０６】
ガイド部材２１１は、たとえば樹脂で構成されており、中央部位２１９と第１の側方部位２２１と第２の側方部位２２３とを備えて一体的に構成されている。中央部位２１９は、帽体２０３の前側内面（凹な球面状に形成された帽体２０３の内側曲面）に沿った球面状の曲面（たとえば、シールド板２０５よりも曲率半径が僅かに小さい曲面）を備えて板状（湾曲した板状）に形成されている。第１の側方部位２２１は、中央部位２１９の幅方向の一端部側で中央部位２１９に一体的に設けられている。第２の側方部位２２３は、中央部位２１９の幅方向の他端部側で中央部位２１９に一体的に設けられている。
【０１０７】
第１の側方部位２２１は、基端部側部位（中央部位２１９側の部位）２２５と先端部側部位２２７とで構成されており、第２の側方部位２２３も同様にして、基端部側部位（中央部位２１９側の部位）２２９と先端部側部位２３１とで構成されている。そして、各部位２２５，２２９にガイド部２１３が形成されている。
【０１０８】
また、第１の側方部位２２１の先端部側部位２２７と第２の側方部位２２３の先端部側部位２３１とが帽体２０３に係合して（たとえば帽体２０３の側方の下側内面に面接触して）、ガイド部材２１１が帽体２０３に一体的に設けられている。
【０１０９】
シールド板２０５は、帽体２０３と中央部位２１９および各側方部位２２１，２２３の基端部側部位２２５，２２９との間に形成された空間内に入り込んで、帽体２０３の内部に収納されるようになっている。
【０１１０】
第１の側方部位２２１の先端部側部位２２７は、帽体２０３の一方の側方の下側内面と面接触する曲面を備えた板状（湾曲した板状）に形成されており、第２の側方部位２２３の先端部側部位２３１も同様にして、帽体２０３の他方の側方の下側内面と面接触する曲面を備えた板状（湾曲した板状）に形成されている。
【０１１１】
第１の側方部位２２１の基端部側部位２２５は、起立部位２３３と連結部位２３５とを備えて構成されている。起立部位２３３は、細長い板状に形成されており、幅方向が起立方向になるようにして、第１の側方部位２２１の先端部側部位２２７から、たとえばほぼ直交する方向に起立している。連結部位２３５は、細長い板状に形成されており、幅方向の一端部が中央部位２１９に一体的に設けられ、幅方向の他端部が起立部位２３３に一体的に設けられて、起立部位２３３と中央部位２１９とをつないでいる。
【０１１２】
ガイド部材２１１が帽体２０３に一体的に設けられた状態では、起立部位２３３が帽体２０３の内面から直交する方向（帽体２０３の内側方向）に立ち上がっており、連結部位２３５（連結部位２３５の厚さ方向の各面）が、保護帽２０１のほぼ前後上下方向に展開している。
【０１１３】
同様にして、第２の側方部位２２３の基端部側部位２２９は、起立部位２４１と連結部位２４３とで構成されている。
【０１１４】
そして、ガイド部２１３は、起立部位２３３の厚さ方向の一方の曲面（ガイド部材２１１を帽体２０３に設置したときに、前側に位置している円弧状の曲面）２３７と、連結部位２３５に形成された円弧状の長孔２３９と、起立部位２４１の厚さ方向の一方の曲面（ガイド部材２１１を帽体２０３に設置したときに、前側に位置している凸な円弧状の曲面）２４５と、連結部位２４３に形成された円弧状の長孔２４７とで構成されている。
【０１１５】
シールド板２０５の係合部２１５は、シールド板２０５の幅方向の各端面２４９，２５７と各係合片２５１，２５９とで構成されている。端面２４９は、シールド板２０５の幅方向における一方の端面であり、起立部位２３３の曲面２３７と曲率半径がほぼ等しい凹な円弧状に成されており、曲面２３７と線接触（より、精確には面接触）し、滑り対偶をなして係合している。また、端面２５７は、シールド板２０５の幅方向における他方の端面であり、端面２４９と同様に構成されて、起立部位２４１の曲面２４５と係合している。
【０１１６】
また、係合片２５１は、図２６（図２３におけるＸＸＶＩ−ＸＸＶＩ断面）で示すように、シールド板２０５の幅方向の一端側の上端部側でシールド板２０５の内側に突出して、シールド板２０５に一体的に設けられている。係合片２５１は、円柱状の基端部２５３と、基端部２５３よりも外径が大きい円板状に形成された傘部２５５とを備えた傘状に形成されている。係合片２５１は、ガイド部材２１１の基端部側部位２２５に設けられている長孔２３９に、長孔２３９の幅よりも外径が僅かに小さい基端部２５３が入り込んで、滑り対偶をなして係合している。なお、傘部２５５の外径は、長孔２３９の幅よりも大きくなっている。同様にして、シールド板２０５の幅方向の他方の側には、係合片２５９とが設けられており、係合片２５９が長孔２４７に係合している。
【０１１７】
ガイド部材２１１を帽体２０３の内部に設置したときには、図２３で示すように、保護帽２０１の前側では、外側に帽体２０３、内側にガイド部材２１１が位置した二重構造になっており、帽体２０３とガイド部材２１１との間に、シールド板２０５が入り込むようになっている。
【０１１８】
ガイド部材２１１を帽体２０３に設置したときには、起立部位２３３（２４１）の円弧状の曲面２３７（２４５）の中心と連結部位２３５（２４３）の円弧状の長孔２３９（２４７）の中心とはお互いがほぼ一致しており、これらの中心は、着用者の耳部に位置している。したがって、シールド板２０５は、着用者の耳部を通って保護帽の左右方向に延びている軸Ｃ２０１（図２３参照）をほぼ中心にして回動するようになっている。ただし、完全な円弧の軌跡で描いて回動するのではなく、円弧に近い円弧状の軌跡を描いて回動するようになっている。
【０１１９】
また、起立部位２３３（２４１）の曲面２３７（２４５）が、連結部位２３５（２４３）の長孔２３９（２４７）よりも回動中心軸Ｃ２０１側（内側）に位置しており、連結部位２３５（２４３）の長孔２３９（２４７）の曲率半径が起立部位２３３（２４１）の曲面の曲率半径よりも大きくなっている。
【０１２０】
さらに、ガイド部材２１１の中央部位２１９の断面（図２３に示す断面）、シールド板２０５の断面（図２３に示す断面）、帽体２０３の前側部位の断面（図２３に示す断面）は、回動中心軸Ｃ２０１をほぼ中心とする円弧状に形成されている。そして、ガイド部材２１１の中央部位２１９が連結部位２３５（２４３）の長孔２３９（２４７）の外側に位置しており、シールド板２０５が、ガイド部材２１１の中央部位２１９よりも外側に位置しており、帽体２０３の前側部位がシールド板２０５よりも外側に位置している。
【０１２１】
ガイド部材２１１の中央部位２１９の曲率半径が長孔２３９（２４７）の曲率半径よりも大きくなっており、シールド板２０５の曲率半径がガイド部材２１１の中央部位２１９の曲率半径よりも大きくなっており、帽体２０３の前側部位の曲率半径がシールド板２０５の曲率半径よりも大きくなっている。
【０１２２】
また、図２３で示す断面では、シールド板２０５が収納位置Ｐ２０１に位置している場合、起立部位２３３（２４１）の曲面の上端部と、長孔２３９（２４７）の上端部と、ガイド部材２１１の中央部位２１９の上端部と、シールド板２０５の上端部とが、帽体２０３の上下方向では帽体２０３の上側に位置しており、帽体２０３の前後方向では、帽体２０３の中央部に位置している。また、起立部位２３３（２４１）の曲面２３７（２４５）の下端部と、長孔２３９（２４７）の下端部と、ガイド部材２１１の中央部位２１９の下端部と、シールド板２０５の下端部とが、帽体２０３の前方の下端部の近くに位置している。
【０１２３】
また、保護帽２０１には、シールド板２０５を保持する保持手段２６１が設けられている。保持手段２６１は、シールド板２０５が収納位置Ｐ２０１や被覆位置Ｐ２０３に位置しているときに、シールド板２０５が帽体２０３に対して容易に移動しないように、シールド板２０５を保持する手段である。
【０１２４】
保持手段２６１は、たとえば、図２７に示すような各切り欠き２６３，２６５を備えて構成されている。切り欠き２６３は、長孔２３９（２４７）の上端部で、長孔２３９（２４７）につながって、長孔２３９（２４７）上方に向かって設けられている。切り欠き２６５は、長孔２３９（２４７）の下端部で、長孔２３９（２４７）につながって、長孔２３９（２４７）前方に向かって設けられている。
【０１２５】
そして、シールド板２０５が収納位置Ｐ２０１に位置しているときには、係合片２５１（２５９）の基端部２５３が、切り欠き２６３に入り込み、シールド板２０５が容易には移動しないようになっている。また、シールド板２０５が被覆位置Ｐ２０３に位置しているときには、係合片２５１（２５９）の基端部２５３が、切り欠き２６５に入り込み、シールド板２０５が容易には移動しないようになっている。
【０１２６】
また、保護帽２０１には、シールド板２０５が被覆位置Ｐ２０３に位置すべく下方に移動するときに、シールド板２０５の幅方向の中央部が、必要以上に下方に移動しないようにするためのストッパが設けられている。前記ストッパは、シールド板２０５に形成された突起２６７と、ガイド部材２１１の中央部位２１９に設けられた突起２６９とで構成されている。
【０１２７】
ところで、保護帽２０１には、図示しない内装体（たとえばハンモック）が設けられおり、帽体２０３やガイド部材２１１には、ハンモックを係止するための複数の係止部２７１が設けられている。各係止部２７１のうちで後側に位置している各係止部２７１Ａは、帽体２０３の内面に一体的に設けられており、各係止部２７１のうちで前側に位置している各係止部２７１Ｂは、ガイド部材２１１の内面に一体的に設けられている。
【０１２８】
また、本実施形態（第２の実施形態）において、第１の実施形態に係るシールド板５と同様に、シールド板２０５が、この中央部から周辺部に向かうにしたがって、厚さが徐々に薄くなっていてもよい。
【０１２９】
ここで、保護帽２０１を着用してシールド板２０５を出入りさせる動作について説明する。
【０１３０】
まず、シールド板２０５が収納位置Ｐ２０１に位置している状態で、着用者が保護帽２０１を被る。シールド板２０５を被覆位置Ｐ２０３に位置させて作業をする必要がある場合には、シールド板２０５の下端部（たとえば庇２１７）を、前方に少し押すと、係合片２５１（２５９）が、切り欠き２６３から出てきて、シールド板２０５が移動可能になる。この状態で、シールド板２０５を、長孔２３９（２４７）等に沿って下方に移動させると、係合片２５１（２５９）が、切り欠き２６５に入り込み、シールド板２０５が被覆位置Ｐ２０３に位置し、シールド板２０５が被覆位置Ｐ２０３からは容易には移動しないようになる。
【０１３１】
一方、被覆位置Ｐ２０３に位置しているシールド板２０５を、収納位置Ｐ２０１に位置させる場合には、シールド板２０５の下端部（たとえば庇２１７）を、少し前方に押すと、係合片２５１（２５９）が、切り欠き２６５から出てきて、シールド板２０５が移動可能になる。この状態で、シールド板２０５を、長孔２３９（２４７）等に沿って上方に移動させると、係合片２５１（２５９）が、切り欠き２６５に入り込み、シールド板２０５が被覆位置Ｐ２０３に位置する。
【０１３２】
保護帽２０１によれば、シールド板２０５が常に帽体２０３に設置されており、また、ガイド手段２０７により、シールド板２０５が帽体２０３の曲面に沿って移動するようになっているので、シールド板２０５の付け忘れを防止することができると共に、帽体２０３を大きくせず従来の形状をほぼ保ったままで、シールド板２０５の移動ストロークを長くすることができる。そして、シールド板２０５の長さ（高さ）が、着用者の顔面のほぼ総てを覆うことができる長さであっても、着用者の邪魔にならないように、シールド板２０５を帽体２０３の内部にほぼ納めることができる。
【０１３３】
また、帽体２０３が、着用者の耳部を覆う部位が除去された形状である半球殻状に形成されているので、保護帽２０１が小型化されて質量が軽減されていると共に着用者に放感を与えることができ、さらに、帽体２０３の外側（凸側）の面や内側の面（凹側の面）が滑らかに曲がっており、帽体２０３の剛性が高くなっている。
【０１３４】
また、保護帽２０１によれば、帽体２０３の前側内面に沿った曲面を備えて板状に形成されたシールド板２０５が、円弧状のガイド部２１３でガイドされ円弧状の軌跡を描いて移動するので、シールド板２０５の移動ストロークをさらに長くすることができ、着用者の顔面のほぼ総てを覆うことができる長さのシールド板２０５を採用しても、着用者の邪魔にならないように、シールド板２０５を帽体２０３の内部にほぼ納めることが一層容易になる。
【０１３５】
また、保護帽２０１によれば、円弧状のガイド部２１３が帽体２０３の前側内面に沿うようにして帽体２０３の内部に設けられているので、着用者の耳を覆うことがない半球殻状の帽体２０３を採用することができる。すなわち、シールド板２０５をこの回動中心Ｃ２０１のところで帽体に支持させる構成であると、シールド板２０５を支持する回動軸（シールド板２０５の回動中心Ｃ２０１のところに位置している回動軸）を帽体２０３に別途設けなければならず、これにより、帽体２０３に耳部（着用者の耳部を覆う部位）に設ける必要が生じ、帽体２０３を半球殻状にすることができなくなる。しかし、保護帽２０１は、帽体２０３に耳部を設けることなく帽体２０３の形状を半球殻状にすることができる。
【０１３６】
また、保護帽２０１によれば、ガイド部材２１１が一体的に構成されており、帽体２０３の左右方向の２箇所で帽体２０３に接触して一体的に設けられているので、ガイド部材２１１自体の剛性と、ガイド部材２１１を帽体２０３に取り付けたときの取り付け剛性とが高くなっている。
【０１３７】
また、内装体を構成するハンモックを係止する係止部２７１Ｂを、ガイド部２１３やシールド板２０５との干渉を避けて、ガイド部材２１１の中央部位２１９の内側に設けることができる。
【０１３８】
また、保護帽２０１によれば、シールド板２０５が、ガイド部材２１１の４箇所（各面２３７,２４５と各長孔２３９,２４７）に係合して移動するようになっているので、シールド板２０５が帽体２０３に対して滑らかに安定した状態で移動できるようになっている。
【０１３９】
ところで、保護帽２０１では、シールド板２０５が、この幅方向の両端部で支持されて移動するようになっているが、この支持形態に加えて、シールド板２０５が、この幅方向の中央部で支持されて移動するように構成されていてもよい。たとえば、シールド板２０５の幅方向の中央部に、係合片２５１と同様な係合片を設け、この係合片に係合する長孔（長孔２３９と同様な長孔）を、中央部位２１９に設けた構成であってもよい。
【０１４０】
また、シールド板として、着用者の顔の上半分のみを覆うハーフタイプのものを採用してもよい。
【０１４１】
［第３の実施形態］
図２８は、本発明の第３の実施形態に係る保護帽３０１の概略構成を示す図であり、図２９は、保護帽３０１の帽体３０３と汎用の保護帽の帽体３００との外形の違いを示す図であり、図３０は、保護帽３０１の断面図（保護帽３０１の中心を通り保護帽３０１の前後上下方向に展開する平面による断面図）である。
【０１４２】
図３１は、着用者が保護帽３０１を被った状態を示す図である。図３１の（ａ）（ｂ）は、シールド板３０５を収納位置Ｐ３０１に位置させた状態を示しており、図３１の（ｃ）（ｄ）は、シールド板３０５を被覆位置Ｐ３０３に位置させた状態を示している。
【０１４３】
保護帽３０１は、帽体３０３とシールド板（シールド部材；面体）３０５とを備えて構成されている。帽体３０３、シールド板３０５は、左右対称形成されている。帽体３０３には、着用者の耳を覆う耳部３０７が設けられている。また、帽体３０３は、汎用の帽体３００に対して、帽体３０３の前側のみが外側に大きくなるように形成した椀状に形成されている。
【０１４４】
ここで、汎用の帽体３００とは、シールド板を備えておらず帽体と内装体とで構成された帽体であり、厚生労働省の規格（保護帽の規格）に適合させるべく、たとえば必要最小限後の大きさに形成された保護帽の帽体である。汎用の帽体として、前後方向の長さが２６０ｍｍ〜２８０ｍｍ程度のＭＰヘルメット等の帽体３００（図２９参照）を掲げることができる。
【０１４５】
帽体３０３は、半球殻状の形状のものに、板状に形成されている耳部３０７を付加した椀状に形成されている。耳部３０７の厚さと帽体３０３の耳部以外の箇所の厚さとはお互いがほぼ一致している。また、耳部３０７の厚さ方向は帽体３０３の左右方向（図２８では紙面に直交する方向）になっている。
【０１４６】
なお、帽体３０３は、半球殻状に形成されているのであって完全な半球殻に形成されているわけではない。すなわち、帽体３０３は、帽体３と同様にして、着用者の頭部の形状に合うようにするために、曲率半径が適宜変化している形状に形成されている。
【０１４７】
また、帽体３０３の開口部（淵；下端）３０９も、完全な円形ではなく、着用者の頭部の形状に合うようにするためや耳部３０７を設けたことにより、曲率半径等が適宜変化している円形状に形成されている。
【０１４８】
帽体３０３が椀状に形成されていることにより、帽体３０３の外面および内面は、急な曲がり部分が存在しない滑らかな球面状になっている。さらに、帽体３０３が半球殻状のものに耳部３０７を設けた椀状に形成されていることにより、直立している着用者が保護帽３０１を被った場合、帽体３０３の前後方向の中央部で、帽体３０３の耳部３０７が下側に突出しており、この耳部３０７で着用者の耳の総てもしくは一部が覆われるようになっている。
【０１４９】
シールド板３０５は、たとえば、シールド板５と同様に形成されており、樹脂等の透明（有色透明を含む）な若しくは半透明な部材で構成されており、着用者の顔面の総てを覆うことができる大きさに形成されている。また、シールド板３０５は、帽体３０３の前側の内面（凹な球面状の曲面）に沿った球面状の曲面を備えた板状（湾曲した板状；１／４程度の球殻状）に形成されており、左右方向の両端部に係合部３１１が設けられている。帽体３０３の耳部３０７にはガイド部３１３が形成されており、シールド板３０５の係合部３１１が、ガイド部３１３に係合することによって、収納位置Ｐ３０１と被覆位置Ｐ３０３との間で、係合部３１１の中心軸Ｃ３０１を中心にして、シールド板３０５が円弧状の軌跡を描いて回動するようになっている。軸Ｃ３０１は、耳部３０７の中央を通って、保護帽３０１の左右方向（図１の紙面に直交する方向）に延びている軸である。
【０１５０】
ここで、収納位置Ｐ３０１は、シールド板３０５が帽体３０３の前側内部に収納されたときの位置であり、被覆位置Ｐ３０３は、シールド板３０５が帽体３０３の着用者の顔面（頭部の前面）のほぼ総てを覆う位置である。
【０１５１】
ガイド部３１３は、たとえば、帽体３０３の耳部３０７を貫通する円形の貫通孔３１５で構成されており、係合部３１１は、シールド板３０５の側方（幅方向の両側）の下部でシールド板３０５の外側に僅かに突出している円柱状の突起（外径が貫通孔よりも僅かに小さい突起）３１７で構成されている。そして、各突起３１７が各貫通孔３１５に嵌合していることにより（図２８におけるＸＸＸＩＩＩ−ＸＸＸＩＩＩ断面を示す図である図３３参照）、シールド板３０５が前記回動をするようになっている。
【０１５２】
収納位置Ｐ３０１にシールド板３０５が位置している状態について詳しく説明すると、この状態で、シールド板３０５が帽体３０３の内部に完全に収容されているわけではなく、シールド板３０５の下端部（庇３１９が設けられている下端部）とこの近傍の部位が、帽体３０３の前側で帽体３０３の下端部（帽体３前側の開口部）３０９から下方に突出している。ただし、この下方に突出している部位が、着用者の邪魔になることはなく、着用者は、シールド板３０５の存在をその視界で意識することなく保護帽３０１を被ることができるようになっている。
【０１５３】
庇（庇部）３１９は、第１の実施形態の場合と同様にして、シールド板３０５の下端部で反転している。すなわち、庇３１９は、逆方向（着用者の顔面から離れる方向）に曲がって延出している。これにより、飛来物がシールド板（被覆位置Ｐ３０３にあるシールド板）３０５にあたっても、飛来物がシールド板３０５の表面を滑って、着用者の体に接触する事態を回避することができる。
【０１５４】
また、シールド板３０５の上端部は、帽体３０３の頂上部付近に位置している。なお、シールド板３０５の庇３１９を削除し、収納位置Ｐ３０１にシールド板３０５が位置している状態において、シールド板３０５が帽体３０３の内部に完全に収容される構成であってもよい。
【０１５５】
被覆位置Ｐ３０３にシールド板３０５が位置している状態では、シールド板３０５の下端部が、着用者の顎よりも下側に位置して、シールド板３０５が着用者の顔面のほぼ総てを覆っている（図３１（ｃ）（ｄ）参照）。すなわち、正面から見た場合、シールド板３０５によって、着用者の顔面の総てが覆われている。なお、シールド板３０５の上端部は、帽体３０３の下端部（帽体３０３の前側の淵）の近傍で帽体３０３の内部に位置している。
【０１５６】
また、保護帽３０１には、左右対称に形成されている内側部材３２１が設けられている。内側部材３２１は、帽体３０３の前側内部で帽体３０３に一体的に設けられている。
【０１５７】
内側部材３２１は、図３０や図３２（内側部材３２１の概略構成を示す斜視図）で示すように、中央部位３２３と起立部位３２５と突出部位３２７とを備えて構成されている。中央部位３２３は、帽体３０３の前側内面（凹な球面状に形成された帽体３０３内側の曲面）に沿った球面状の曲面を備えた板状（湾曲した板状；１／４程度のサイズの球殻状）に形成されている。
【０１５８】
起立部位３２５は、板状で「Ｕ」字状に形成されており、中央部位３２３の後端部から、中央部位３２３の外方向に（凸方向に）所定の高さで起立している。突出部位３２７は、板状で「Ｕ」字状に形成されており、起立部位３２５から、後方に所定の幅で突き出ている。
【０１５９】
そして、突出部位３２７の厚さ方向の一方の面（外側の凸な面）が帽体３０３の内面（凹な面）に係合（面接触）することにより、内側部材３２１が、帽体３０３の前側内部で帽体３０３に一体的に設けられている。なお、突出部位３２７が面接触している帽体３０３内部の面は、この幅が帽体３０３の前後方向になるようにして、帽体３０３の前後方向の中央部で、帽体３０３の左側から始まり帽体３０３の頂上部を通って帽体の右側まで、「Ｕ」字状に延びている。
【０１６０】
内側部材３２１を帽体３０３に設置したときには、保護帽３０１の前側では、外側に帽体３０３、内側に内側部材３２１が位置した二重構造になっており、シールド板３０５は、帽体３０３と内側部材３２１とで形成された空間内（帽体３０３と中央部位３２３および起立部位３２５とで形成された空間内）に入り込んで、収納位置Ｐ３０１に位置し、帽体３０３内に収納されるようになっている。
【０１６１】
内側部材３２１を帽体３０３に設置したとき、図３０で示すように、内側部材３２１における円弧状の中央部位３２３の中心と、円弧状のシールド板３０５の中心と、円弧状の帽体３０３の中心と、シールド板３０５の回動中心Ｃ３０１とは、お互いがほぼ一致している。また、帽体３０３の曲率半径がシールド板３０５の曲率半径よりも大きくなっており、シールド板３０５の曲率半径が内側部材３２１の中央部位３２３の曲率半径よりも大きくなっている。
【０１６２】
また、保護帽３０１には、シールド板３０５を保持する保持手段３２９が設けられている。保持手段３２９は、シールド板３０５が収納位置Ｐ３０１や被覆位置Ｐ３０３に位置しているときに、シールド板３０５が帽体３０３に対して容易に回動しないように、シールド板３０５を保持する手段である。
【０１６３】
保持手段３２９は、たとえば、図３０に示すような各突起３３１，３３３，３３５，３３７を備えて構成されている。突起３３１は、半球状に形成されており、シールド板３０５の前後方向では後端部で、シールド板３０５の幅方向では中央部で、シールド板３０５の内面（凹な面）に一体的に設けられている。突起３３３は、半球状に形成されており、内側部材３２１の前後方向では中央部位３２３の後端部の近傍で、内側部材３２１の幅方向では中央部で、内側部材３２１の外面（凸な面）に一体的に設けられている。突起３３５は、１／４の球状に形成されており、１つの平面３３５Ａが内側部材３２１の後方（上方）を向くようにして、内側部材３２１の前後方向では中央部位３２３の前端部で、内側部材３２１の幅方向では中央部で、内側部材３２１の外面（凸な面）に一体的に設けられている。突起３３５の高さは、他の突起３３１，３３３，３３７の高さよりも高くなっている。突起３３７は、半球状に形成されており、内側部材３２１の前後方向では突起３３５よりも僅かに後方（上方）で、内側部材３２１の幅方向では中央部で、内側部材３２１の外面（凸な面）に一体的に設けられている。
【０１６４】
そして、図３０で示すように、シールド板３０５が収納位置Ｐ３０１に位置している状態では、シールド板３０５の突起３３１が、内側部材３２１の突起３３３と内側部材３２１の起立部位３２５とで挟まれて、シールド板３０５が容易には回動しないようになっている。収納位置Ｐ３０１に位置しているシールド板３０５を被覆位置Ｐ３０３に位置させるべく、シールド板３０５を図３０に示す矢印の方向に回動させると、突起３３１が突起３３３を乗り越えてシールド板３０５が回動し突起３３７を乗り越えたときにシールド板３０５が被覆位置Ｐ３０３に位置すると共に、突起３３１が突起３３７と突起３３５とで挟まれて、シールド板３０５が容易には回動しないようになっている。
【０１６５】
なお、突起３３５が平面３３５Ａを備えており、また、突起３３５高さが高くなっていることにより、被覆位置Ｐ３０３に位置しているシールド板３０５（突起３３７と突起３３５とで挟まれている突起３３１）は、それ以上、図３０に示す矢印の方向には、回動しないようになっている。
【０１６６】
ところで、保護帽３０１には、図示しない内装体（たとえばハンモック）が設けられおり、帽体３０３や内側部材３２１には、ハンモックを係止するための複数の係止部３３９が設けられている。各係止部３３９のうちで後側に位置している各係止部３３９Ａは、帽体３０３の内面に一体的に設けられており、各係止部３３９のうちで前側に位置している各係止部３３９Ｂは、内側部材３２１の内面に一体的に設けられている。
【０１６７】
また、本実施形態（第３の実施形態）において、第１の実施形態に係るシールド板５と同様に、シールド板３０５が、この中央部から周辺部に向かうにしたがって、厚さが徐々に薄くなっていてもよい。
【０１６８】
ここで、保護帽３０１を着用してシールド板３０５を出入りさせる動作について説明する。
【０１６９】
まず、シールド板３０５が収納位置Ｐ３０１に位置している状態で、着用者が保護帽３０１を被る。シールド板３０５を被覆位置Ｐ３０３に位置させて作業をする必要がある場合には、シールド板３０５の下端部（たとえば庇３１９）を下方向に引っ張れば、シールド板３０５が回動し、シールド板３０５が被覆位置Ｐ３０３に位置する。
【０１７０】
一方、被覆位置Ｐ３０３に位置しているシールド板３０５を、収納位置Ｐ３０１に位置させる場合には、シールド板３０５を上方に押すと、シールド板３０５が回動し、シールド板３０５が収納位置Ｐ３０１に位置する。
【０１７１】
ところで、保護帽３０１において、シールド板３０５の回動中心Ｃ３０１の位置を調整自在に構成してもよい。すなわち、図３３に示すように、貫通孔３１５と同様な複数の貫通孔３１５ａ〜３１５ｉを耳部３０７に設け、これらの各貫通孔３１５ａ〜３１５ｉのうちの１つの貫通孔（実際には、左右方向で２つの貫通孔）を選択し、この選択した貫通孔（たとえば、貫通孔３１５ｂ）に、シールド板３０５の突起３１７を嵌合させるようにしてもよい。なお、各貫通孔３１５ａ〜３１５ｉは、お互いが僅かに離れており、たとえば、貫通孔３１５ａを中心とした円周をほぼ等分配する位置に、各貫通孔３１５ｂ〜３１５ｉが設けられている。
【０１７２】
保護帽３０１によれば、帽体３０３の前側のみを大きくしてあると共に、シールド板３０５が軸Ｃ３０１を中心にして円弧状の軌跡を描いて移動するようになっているので、着用者の顔面のほぼ総てを覆えるようにシールド板を大きくしても、シールド板３０５を帽体３０３の内部に収納することができると共に、帽体３０３や保護帽３０１の全体が大型化し質量が増加することを、極力抑制することができる。また、帽体３０３が椀状に形成されているので、帽体３０３の外側（凸側）や内側の面が滑らかに曲がっており、帽体３０３の剛性が高くなっている。
【０１７３】
また、保護帽３０１において、シールド板３０５の回動中心Ｃ３０１の位置を調整自在に構成すれば、帽体３０３に対するシールド板３０５の位置（特に、被覆位置Ｐ３０３におけるシールド板３０５の位置）を、着用者の頭や顔の形態に応じて調節することができ、着用者がうっとおしさを感じにくくなり、保護帽の使い勝手が向上する。
【０１７４】
また、保護帽３０１によれば、シールド板３０５が、帽体３０３と中央部位３２３および起立部位３２５とで形成される空間内に入り込んで、帽体３０３内に収納されるように構成されているので、内装体（ハンモック）を係止する係止部３３９Ｂを、シールド板３０５との干渉を避けて、設けることが容易になっている。
【０１７５】
［第４の実施形態］
図３５、図３６は、本発明の第４の実施形態に係る保護帽３５１の概略構成を示す図であり、図３７は、図３６のＸ部の拡大図である。
【０１７６】
第４の実施形態に係る保護帽３５１は、シールド板を２つに分けて、帽体３５３の外側に設置した点が、第３の実施形態に係る保護帽３０１と異なり、その他の点は、第３の実施形態に係る保護帽３０１とほぼ同様に構成されている。
【０１７７】
すなわち、保護帽３５１は、帽体３５３と、第１のシールド板３５５と第２のシールド板３５７とを備えて構成されている。
【０１７８】
帽体３５３は、耳を覆う耳部３５９が設けられて椀状に形成されている。さらに説明すると、椀状の帽体３５３は、耳部３５９を除けば、シールド板を備えていない汎用の帽体（第３の実施形態で述べた汎用の帽体）と同形状に形成されている。
【０１７９】
第１のシールド板３５５は、帽体３５３の前側の外面（凸な球面状に形成された帽体３５３の外側の曲面）に沿った曲面（曲率半径が帽体３５３の前側曲面の曲率半径よりも大きい球面状の曲面）を備えた板状（湾曲した板状；１／８程度の球殻状）に形成されている。第１のシールド板３５５の幅方向の両側には、たとえば円形状の貫通孔３６１で構成された係合部３６３が形成されている。この係合部３６３が、たとえば帽体３５３の幅方向の両端で帽体３５３の外面から突出している円柱状の突起３６５で構成されたガイド部３６７に係合している。そして、第１のシールド板３５５が、係合部３６３を中心にし押し上げ位置Ｐ３０５と被覆位置Ｐ３０７との間で、円弧状の軌跡を描いて回動するようになっている。
【０１８０】
なお、押し上げ位置Ｐ３０５は、第１のシールド板３５５が帽体３５３の前側の外部に押し上げられたときの位置であり、被覆位置Ｐ３０７は、第１のシールド板３５５が帽体３５３の着用者の顔面（頭部の前面）のほぼ上半分を覆う位置である。
【０１８１】
第２のシールド板３５７は、帽体３５３の前側の外面（凸な球面状に形成された帽体３５３の外側の曲面）に沿った曲面（曲率半径が第１のシールド板３５５の曲率半径よりも大きい球面状の曲面）を備えた板状（湾曲した板状；１／８程度の球殻状）に形成されている。第２のシールド板３５７の幅方向の両側にも、第１のシールド板３５５と同様にして貫通孔３６１（係合部３６３）が形成されており、この貫通孔３６１が突起３６５（ガイド部３６７）に係合している。そして、第２のシールド板３５７が、第１のシールド板３５５の外側に位置して（特に、被覆位置Ｐ３１１に位置しているときに、押し上げ位置Ｐ３０５に位置している第１のシールド板３５５の外側で第１のシールド板３５５を覆って）、係合部３６３を中心にし押し上げ位置Ｐ３０９と被覆位置Ｐ３１１との間で、円弧状の軌跡を描いて回動するようになっている。
【０１８２】
なお、押し上げ位置Ｐ３０９は、第２のシールド板３５７が帽体３５３（第１のシールド板３５５）の前側の外部に押し上げられたときの位置であり、被覆位置Ｐ３１１は、第２のシールド板３５７が帽体３５３の着用者の顔面（頭部の前面）のほぼ下半分を覆う位置である。
【０１８３】
また、被覆位置Ｐ３０５に位置している第１のシールド板３５５は、この上端部の部位が帽体３５３の庇３６０に当接して、それ以上、下方に移動しないようになっている。また、被覆位置Ｐ３１１に位置している第２のシールド板３５７は、この第２のシールド板３５７に設けられているストッパ３６９が、第１のシールド板３５５に設けられているストッパ３７１に当接して、それ以上、下方に移動しないようになっている。
【０１８４】
なお、ストッパ３６９は、第２のシールド板３５７の上端部で第２のシールド板３５７の内側に折り曲げられた折り曲げ部で形成されている。ストッパ３７１は、第１のシールド板３５５の下端部で第１のシールド板３５５の外側に折り曲げられた折り曲げ部で形成されている。
【０１８５】
また、本実施形態（第４の実施形態）において、第１の実施形態に係るシールド板５と同様に、シールド板３５５が、この中央部から周辺部に向かうにしたがって、厚さが徐々に薄くなっていてもよい。
【０１８６】
保護帽３５１によれば、各シールド板３５５，３５７が押し上げ位置Ｐ３０５，Ｐ３０９に位置している状態では、着用者の目の部分を主に覆う第１のシールド板３５５の外側に第２のシールド板３５７が位置して第１のシールド板３５５を覆っているので、第１のシールド板３５５に傷がつきにくくなっている。すなわち、たとえば、保護帽３５１の着用者が各シールド板３５５，３５７を使用していないときに、不注意で第２のシールド板３５７を障害物にぶつけたとしても、第１のシールド板３５５に傷がつくことを防ぐことができる。
【０１８７】
これにより、保護帽３５１の着用者が各シールド板３５５，３５７を使用するときに、着用者の主に目の部分を覆う第１のシールド板３５５が傷ついておらず、良好な視界を確保することができる。
【０１８８】
ところで、上記第３の実施形態と第４の実施形態において、シールド板の位置を、内外で逆にしてもよい。すなわち、第３の実施形態において、第４の実施形態のように、帽体を汎用のものとほぼ同じにし、シールド板が帽体の外側に位置するようにしてもよいし、また、第４の実施形態において、第３の実施形態のように、帽体の前側を汎用のものよりも大きくして、シールド板が帽体の外側に設置するようにしてもよい。
【０１８９】
［第５の実施形態］
本発明の第５の実施形態に係る保護帽５０１が、第１の実施形態に係る保護帽１や第２の実施形態に係る保護帽２０１と異なっている主なところは、シールド板５０３をガイドするガイド手段５０５の構成（形態）であり、その他の点は、第１の実施形態に係る保護帽１や第２の実施形態に係る保護帽２０１とほぼ同様に構成されており、ほぼ同様の効果を奏する。
【０１９０】
ガイド手段５０５でガイドされるシールド板５０３は、上記各実施形態（たとえば第１の実施形態）に係るものとほぼ同様に構成されており、第１の実施形態に係る保護帽１や第２の実施形態に係る保護帽２０１と同様に、凹部２７５を備えた庇２１７が設けられており、軸Ｃ５０１をほぼ回動中心にし、収納位置Ｐ５０１と被覆位置Ｐ５０３との間を移動するようになっている。
【０１９１】
図３８は、本発明の第５実施形態に係る保護帽５０１の概略構成を示す分解斜視図である。
【０１９２】
第５の実施形態に係る保護帽５０１は、帽体５０７とガイド手段５０５を構成するガイド部材５０９とシールド板５０３と衝撃吸収部材（衝撃吸収ライナ）５１３とあご紐５１５と内装体（ハンモック）５１７とを備えて構成されている。衝撃吸収部材５１３は、たとえば、発砲スチロールで椀状に形成されている。そして、帽体５０７の内側に、ガイド部材５０９とシールド板５０３との組立体５１１を設置した後、帽体５０７と組立体５１１との内側に衝撃吸収部材５１３を設置し、この後、あご紐５１５とハンモック５１７とを帽体５０７やガイド部材５０９に設置することにより、保護帽５０１が組立てられて生成されている。
【０１９３】
なお、上記各実施形態に係る保護帽では、衝撃吸収部材やあご紐には言及していないが、上記各実施形態に係る保護帽において、衝撃吸収部材やあご紐を設けた構成であってもよい。
【０１９４】
帽体５０７は、第１の実施形態に係る保護帽１や第２の実施形態に係る保護帽２０１の場合とほぼ同様に構成されている。すなわち、帽体５０７は、着用者の頭部を保護するためのものであり、たとえば、樹脂等の材料で構成されて、図４６（帽体５０７の概略構成を示す図）で示すように、椀状（たとえば、半球殻状）に形成されている。なお、図４６（ａ）は、帽体５０７の側面図であり、図４６（ｂ）は、帽体５０７の正面図であって、図４６（ａ）におけるＸＬＩＢ矢視図であり、図４６（ｃ）は、帽体５０７の底面図であって、図４６（ａ）におけるＸＬＶＩＣ矢視図である。
【０１９５】
保護帽５０１の帽体５０７は、帽体本体部５１９と帽体庇部５２１とで構成されており、たとえば、２色成型されている。帽体本体部５１９は、不透明な樹脂で構成されており、帽体庇部５２１は、透明（有色透明を含む）な樹脂もしくは半透明な樹脂で構成されている。上記各実施形態に係る保護帽において、帽体を帽体本体部と帽体庇部とで構成してもよい。
【０１９６】
シールド板５０３も、前述したように、たとえば第１の実施形態に係る保護帽２０１のものと、ガイド手段５０５に係る部位（ガイド部材５０９に係合する部位）を除いて、ほぼ同様に構成されている。
【０１９７】
ここで、ガイド手段５０５について詳しく説明する。
【０１９８】
図３９は、保護帽５０１の概略構成を示す断面図であり、図４０は、保護帽５０１の正面図であって、図３９におけるＸＬ矢視図であり、図４１は、保護帽５０１の底面図であって、図３９におけるＸＬＩ矢視図である。
【０１９９】
図４３、図４４は、ガイド部材５０９とシールド板５０３との組立体５１１を示す図であり、図４３（ａ）は、組立体５１１の側面図であり、図４３（ｂ）は、組立体５１１の平面図であって、図４３（ａ）におけるＸＬＩＩＩＢ矢視図であり、図４４（ａ）は、組立体５１１の底面図であって、図４３（ａ）におけるＸＬＩＶＡ矢視図であり、図４４（ｂ）は、図４３（ｂ）におけるＸＬＩＶＢ−ＸＬＩＶＢ断面を示す図である。
【０２００】
図４５は、ガイド部材５０９におけるガイド部５２３等の詳細を示す図である。図４５（ａ）は、図４４（ｂ）におけるＸＬＶＡ部の拡大図である。図４５（ｂ）は、図４５（ａ）におけるＸＬＶＢ矢視図、もしくは、図４９（ｂ）におけるＸＬＶＢ部の拡大図である。なお、図４５（ａ）では、シールド板５０３等が描かれているが、図４５（ｂ）では、シールド板５０３等の表示は省略してあり、ガイド部材５０９のみを描いてある。
【０２０１】
図４９、図５０は、ガイド部材５０９を示す図であり、図４９（ａ）は、ガイド部材５０９の側面図であり、図４９（ｂ）は、ガイド部材５０９の平面図であって、図４９（ａ）におけるＸＬＩＸＢ矢視図であり、図５０（ａ）は、ガイド部材５０９の正面図であって、図４９（ａ）におけるＬＡ矢視図であり、図５０（ｂ）は、図５０（ａ）におけるＬＢ−ＬＢ断面を示す図であり、図５０（ｃ）は、図５０（ａ）におけるＬＣ−ＬＣ断面を示す図である。
【０２０２】
図５２、図５３は、シールド板５０３を示す図であり、図５２（ａ）は、シールド板５０３の正面図であり、図５２（ｂ）は、シールド板５０３の平面図であって、図５２（ａ）におけるＬＩＩＢ矢視図であり、図５２（ｃ）は、シールド板５０３の部分矢視図であって、図５２（ｂ）におけるＬＩＩＣ矢視図であり、図５２（ｄ）は、シールド板５０３の部分断面図であって、図５２（ｂ）におけるＬＩＩＤ−ＬＩＩＤ断面を示す図であり、図５３（ａ）は、シールド板５０３の側面図であって、図５２（ａ）におけるＬＩＩＩＡ矢視図であり、図５３（ｂ）は、図５２（ａ）におけるＬＩＩＩＢ−ＬＩＩＩＢ断面を示す図である。なお、図５２（ａ）や図５３（ａ）で網掛けしてある部位５１０は、ＡＮＳＩ規格での光学特性範囲（保護帽５０１の着用者がシールド板５０３を通して物を見るために、光学特性が良好である範囲）である。
【０２０３】
ガイド手段５０５は、たとえば樹脂で構成されたガイド部材５０９に設けられたガイド部５２３と、透明もしくは半透明な樹脂で構成されたシールド板５０３に設けられた係合部５２５とを備えて構成されている。
【０２０４】
ガイド部材５０９は、球面状の曲面を備えて板状に形成された中央部位５２７を備えており、ガイド部５２３は、中央部位５２７に形成されている。また、ガイド部５２３は、シールド板５０３が、収納位置Ｐ５０１と被覆位置Ｐ５０３との間を移動するときにシールド板５０３をガイドすべく細長く形成されて複数設けられている。各ガイド部５２３は、お互いがほぼ平行になって幅方向（左右方向）で中央部位５２７の中央寄りに設けられている。
【０２０５】
詳しく説明すると、中央部位５２７は、１／４の球殻状に形成されている。ここで、１／４の球殻（１／４球殻）とは、次のようにして形成される立体である。まず、所定の半径の第１の球から、この第１の球の半径よりも僅かに小さい半径で前記第１の球と中心が一致している第２の球を取り除いた形状の立体（球殻）を得る。
【０２０６】
次に、前記球殻を、前記各球の中心もしくはこの近傍を通る第１の平面で２分割し、分割された２つの立体のうちの一方の立体である半球殻を得る。
【０２０７】
次に、前記半球殻を、前記各球の中心もしくはこの近傍を通り前記第１の平面とほぼ直交する第２の平面で２分割し、分割された２つの立体のうちの一方の立体である１／４球殻を得る。なお、ガイド部材５０９は帽体５０７の内部（内側）に設置されるものであるので、ガイド部材５０９の中央部位５２７の曲率半径（上記第１の球の曲率半径）は、帽体５０７の曲率半径よりもわずかに小さくなっている。
【０２０８】
中央部位５２７は、「１／４球殻状」に形成されているのであって、完全な「１／４球殻」の形状に形成されているわけではない。すなわち、中央部位５２７は、帽体５０７と同様にして、着用者の頭部の形状に合うようにするために、曲率半径が適宜変化している形状に形成されている。
【０２０９】
中央部位５２７の端部も、完全な円弧ではなく、着用者の頭部の形状に合うようにするために、曲率半径が適宜変化している円弧状に形成されている。ここで、中央部位５２７の端部とは、上記第１の平面での分割により形成された円弧状（半円弧状）の部位（第１の半円状端部曲線５２９）と、上記第２の平面での分割により形成された円弧状（半円弧状）の部位（第２の半円状端部曲線５３１）とをいう。
【０２１０】
第１の半円状端部曲線５２９は、たとえば、上記第１の平面上にほぼ位置していて、前記第１の平面と直交する方向での凹凸がほとんど存在しない形態になっている。なお、中央部位５２７が厚さ（上記第１の球の半径と上記第２の球の半径との差）を備えているので、第１の半円状端部曲線５２９は、より正確には、第１の半円状端部曲面であると言える。
【０２１１】
第２の半円状端部曲線５３１は、たとえば、前記第２の平面と直交する方向で前記第２の平面からわずかに出入りしている。つまり、前記第２の平面と直交する方向でわずかな凹凸が存在している。なお、第１の半円状端部曲線５２９の場合と同様にして、第２の半円状端部曲線５３１も、より正確には、第２の半円状端部曲面であると言える。
【０２１２】
ガイド部材５０９が帽体５０７に設置された状態では、ガイド部材５０９の中央部位５２７は、帽体５０７の前方の内側で、帽体５０７からわずかに離れて、帽体５０７に一体的に設けられている。これにより、帽体５０７と中央部位５２７との間には、帽体５０７の厚さや中央部位５２７の厚さよりも厚い所定の厚さの１／４球殻状の空間５３３が形成されており、この１／４球殻状の空間５３３に、シールド板（収納位置Ｐ５０１に位置しているシールド板）５０３が入り込むようになっている。
【０２１３】
さらに説明すると、第１の半円状端部曲線５２９は、帽体５０７の内壁からわずかに離れしかも帽体５０７の内壁に沿い、帽体５０７の下端に位置している円形状の縁の左端の近傍から、帽体５０７の真上の近傍を通って、帽体５０７の下端に位置している円形状の縁の右端の近傍にまで延びている。つまり、第１の半円状端部曲線５２９は、着用者の左耳の上方から、着用者の頭頂部の近傍を通って、着用者の右耳の上方まで延びている。
【０２１４】
また、第２の半円状端部曲線５３１は、帽体５０７の下端で前側に位置している前側半円状の縁からわずかに離れしかも帽体５０７の前側半円状の縁に沿い、帽体５０７の下端に位置している円形状の縁の左端の近傍から、帽体５０７の縁の前端の近傍を通って、帽体５０７の下端に位置している円形状の縁の右端の近傍にまで延びている。つまり、第２の半円状端部曲線５３１は、着用者の左耳の上方から、着用者の額の近傍を通って、着用者の右耳の上方まで延びている。
【０２１５】
ガイド部材５０９の中央部位５２７に設けられているガイド部５２３は、たとえば、３つ設けられている。各ガイド部５２３は、たとえばそれぞれが長円状の貫通孔（厚さ方向で中央部位５２７を貫通している貫通孔）５３５，５３７，５３９で構成されており、幅方向では中央部位５２７の中央と左側と右側とに設けられている。
【０２１６】
中央部位５２７の中央に設けられているガイド部５２３（貫通孔５３５）は、第２の半円状端部曲線５３１の中央の近傍から、第１の半円状端部曲線５２９の中央の近傍まで形成されている。つまり、中央に設けられている貫通孔５３５は、横方向（幅方向；左右方向）では中央の位置を保ったまま、着用者の額の中央の近傍から、着用者の前頭部の中央を通って、着用者の頭頂部の近傍まで延びている。
【０２１７】
左側のガイド部５２３（貫通孔５３７）は、中央に設けられている貫通孔５３５と平行に設けられており、第２の半円状端部曲線５３１の左側の斜め前方部位の近傍から、第１の半円状端部曲線５２９の左側の斜め上方部位の近傍まで形成されている。つまり、左側に設けられている貫通孔５３７は、着用者の額の斜め左前方部位の近傍から、着用者の前頭部の斜め左前方部位を通って、着用者の頭頂部の斜め左上方部位の近傍まで延びている。
【０２１８】
右側のガイド部５２３（貫通孔５３９）は、中央に設けられている貫通孔５３５を間にして、左側に設けられている貫通孔５３７と対称に設けられている。すなわち、右側の貫通孔５３９は、ガイド部材５０９の中心を通り上下前後方向に展開している平面に対して、左側の貫通孔５３７と対称に設けられている。
【０２１９】
ここで、３つのガイド部５２３（貫通孔５３５，５３７，５３９）の位置関係についてさらに詳しく説明する。説明の便宜のため、ガイド部材５０９の各側方部位５４１，５４３（図４９等参照）の存在を無視する（ガイド部材５０９の各側方部位５４１，５４３は、仮に存在していないものとする）。
【０２２０】
３つの貫通孔５３５，５３７，５３９の各延長線（長円状の貫通孔５３５，５３７，５３９の幅方向の中心線であって貫通孔５３５，５３７，５３９の長手方向に延伸している中心線）と、第２の半円状端部曲線５３１との交点とを、それぞれ、下部左側交点５４５、下部中央交点５４７、下部右側交点５４９とする（図４９（ａ）、（ｂ）、図５０（ａ）参照）。
【０２２１】
こうすると、第２の半円状端部曲線５３１の左端（第１の半円状端部曲線５２９の左端と一致している左端；図４９（ａ）参照）５５１と下部左側交点５４５との間の距離（第２の半円状端部曲線５３１上の道のり）が、下部左側交点５４５と下部中央交点５４７との間の距離（第２の半円状端部曲線５３１上の道のり）と等しいかもしくはわずかに大きくなっている。
【０２２２】
また、同様にして、第２の半円状端部曲線５３１の右端（第１の半円状端部曲線５２９の右端と一致している右端；；図４９（ａ）参照）５５３と下部右側交点５４９との間の距離（第２の半円状端部曲線５３１上の道のり）が、下部右側交点５４９と下部中央交点５４７との間の距離（第２の半円状端部曲線５３１上の道のり）と等しいかもしくはわずかに大きくなっている。
【０２２３】
また、３つの貫通孔５３５，５３７，５３９の各延長線と、第１の半円状端部曲線５２９との交点とを、図４９（ｂ）で示すように、それぞれ、上部左側交点５５５、上部中央交点５５７、上部右側交点５５９とする。
【０２２４】
こうすると、第１の半円状端部曲線５２９の左端５５１と上部左側交点５５５との間の距離（第１の半円状端部曲線５２９上の道のり）が、上部左側交点５５５と上部中央交点５５７との間の距離（第１の半円状端部曲線５２９上の道のり）と等しいかもしくはわずかに大きくなっている。
【０２２５】
また、同様にして、第１の半円状端部曲線５２９の右端５５３と上部右側交点５５９との間の距離（第１の半円状端部曲線５２９上の道のり）が、上部右側交点５５９と上部中央交点５５７との間の距離（第１の半円状端部曲線５２９上の道のり）と等しいかもしくはわずかに大きくなっている。
【０２２６】
このように、ガイド部５２３が設けられていることにより、ガイド部５２３（貫通孔５３５，５３７，５３９）は、中央部位５２７の中央部側（幅方向で中央部寄り）で上下前後方向に延びて設けられていることになる。
【０２２７】
なお、中央のガイド部５２３（貫通孔５３５）を削除してガイド部５２３を２つにした構成であってもよいし、中央のガイド部５２３（貫通孔５３５）を２つにし、一方のガイド部を中央よりもわずかに左側に移し、他方のガイド部を中央よりもわずかに右側に移すことにより、ガイド部（長円状の貫通孔）を４つ設けた構成であってもよい。さらには、上下前後方向に長く延びているガイド部を中央部位５２７の中央側（幅方向で中央より）に、５つ以上の複数設けた構成であってもよい。
【０２２８】
また、ガイド部材５０９は、前述した中央部位５２７と板状の第１の側方部位（左側の側方部位）５４１と、板状の第２の側方部位（右側の側方部位）５４３とを備えて構成されている。第１の側方部位５４１は、中央部位５２７の幅方向の一端部側（左側）であって中央部位５２７の下側で、中央部位５２７に一体で設けられている。第２の側方部位５４３は、中央部位５２７の幅方向の他端部側（右側）であって中央部位５２７の下側で、中央部位５２７に一体で設けられている。
【０２２９】
そして、一対の中央部位係合部５６１（図４９（ｂ）等参照）が一対の中央部位被係合部５６３（図４６（ｃ）参照）に係合し、左側の第１の側方部位係合部５６５（図４９（ａ）参照）が第１の側方部位被係合部５６７（図４６（ｃ）参照）に係合し、右側の第２の側方部位係合部５６９（図４９（ａ）参照）が第２の側方部位被係合部５７１（図４６（ｃ）参照）に係合して、ガイド部材５０９が帽体５０７に一体的に設けられるように構成されている。
【０２３０】
一対の中央部位係合部５６１は、各側方部位５４１，５４３の近傍で中央部位５２７に形成されており、一対の中央部位被係合部５６３は、帽体５０７の側方に設けられている。第１の側方部位係合部５６５は、第１の側方部位５４１に設けられており、第１の側方部位被係合部５６７が帽体５０７の左斜め後側に設けられている。第２の側方部位係合部５６９は、第２の側方部位５４３に設けられており、第２の側方部位被係合部５７１が帽体５０７の右斜め後側に設けられている。
【０２３１】
より詳しく説明すると、第１の側方部位５４１は、中央部位５２７とほぼ同じ厚さで短い帯状に形成されている。そして、第１の側方部位５４１の長手方向の一端部が、第１の半円状端部曲線５２９の下端部側（左下端部側）に接続されている。また、第２の側方部位５４３は、ガイド部材５０９の中心を通り上下前後方向に展開している平面に対して、第１の側方部位５４１と対称に設けられている。これにより、中央部位５２７の第２の半円状端部曲線５３１の左側のほぼ延長線上に、第１の側方部位５４１の幅方向の一端部（下端部）が位置しており、中央部位５２７の第２の半円状端部曲線５３１の右側のほぼ延長線上に、第２の側方部位５４３の幅方向の一端部（下端部）が位置している。
【０２３２】
ガイド部材５０９は、帽体５０７に対して着脱自在になっており、ガイド部材５０９の中央部位５２７に形成されている一対の中央部位係合部５６１が帽体５０７に設けられている一対の中央部位被係合部５６３に係合することにより、帽体５０７に設置されたガイド部材５０９が、帽体５０７から容易には分離しないようになっている。
【０２３３】
たとえば、中央部位係合部５６１は、剛体とみなされる第１の中央部位係合部（中央部位５２７からこの外側にわずかに突出している突起）５７３（図４９（ａ）参照）と、弾性を備えた第２の中央部位係合部５７５（図４９（ａ）参照）とで構成されている。中央部位被係合部５６３は、剛体とみなされる部位（帽体５０７の内壁から帽体５０７の内側にわずかに突出している突起；図４６（ｃ）、図４８参照）５７７で構成されている。なお、図４８（ａ）は、中央部位被係合部５６３の側面図であり、図４８（ｂ）は、図４８（ａ）におけるＸＬＶＩＩＩＢ矢視図である。
【０２３４】
そして、ガイド部材５０９を帽体５０７に設置するとき（第１の中央部位係合部５７３を中央部位被係合部５６３に係合させるとき）には、第２の中央部位係合部５７５が、帽体５０７（中央部位被係合部５６３やこの周辺）に当接して弾性変形し、ガイド部材５０９を帽体５０７に設置し終えたとき（第１の中央部位係合部５７３を中央部位被係合部５６３に係合させ終えたとき）には、第２の中央部位係合部５７５が復元するようになっている。この復元した第２の中央部位係合部５７５により、帽体５０７に一旦設置されたガイド部材５０９が、帽体５０７から容易には分離しないようになっている。
【０２３５】
すなわち、シールド板５０３を移動するとき等、帽体５０７やガイド部材５０９やシールド板５０３に外力がかかった場合であっても、ガイド部材５０９が帽体５０７から容易には分離しないようになっている。なお、中央部位係合部５６１や中央部位被係合部５６３は、シールド板５０３とは干渉しない位置に設けられている。
【０２３６】
なお、図４２（ａ）は、ガイド部材５０９の中央部位係合部５６１が帽体５０７の中央部位被係合部５６３に係合した状態を示す図であり、図４１に示すＸＬＩＩＡ−ＸＬＩＩＡの部分断面を示す図である。
【０２３７】
帯状の第１の側方部位５４１や帯状の第２の側方部位５４３の長さの値は、第２の半円状端部曲線５３１の長さの半分の値よりもわずかに小さくなっている。第１の側方部位係合部５６５は、厚さ方向で第１の側方部位５４１を貫通している２つの貫通孔５７９，５８１で構成されている。
【０２３８】
第１の側方部位係合部５６５を構成している２つの貫通孔５７９，５８１のうちの一方の貫通孔（後方貫通孔）５８１は、第１の側方部位５４１の先端部（第１の側方部位５４１の長手方向で中央部位５２７とは反対側の端部）の近傍に設けられており、第１の側方部位係合部５６５を構成している２つの貫通孔５７９，５８１のうちの他方の貫通孔（前方貫通孔）５７９は、第１の側方部位５４１の長手方向で中央部位係合部５６１と後方貫通孔５８１との間（たとえば、ほぼ中央部）に設けられている。
【０２３９】
第２の側方部位係合部５６９も第１の側方部位係合部５６５の場合と同様にして、後方貫通孔５８１と前方貫通孔５７９とで構成されており、第２の側方部位係合部５６９の各貫通孔５７９，５８１は、ガイド部材５０９の中心を通り上下前後方向に展開している平面に対して、第１の側方部位係合部５６５の各貫通孔５７９，５８１と対称に設けられている。
【０２４０】
第１の側方部位被係合部５６７は、図４６（ｃ）や図４７で示すように、帽体５０７の開口部（下端部の縁）の近傍で帽体５０７の内壁から帽体５０７の内側にわずかに突出している２つの突起（前側突起と後側突起）５８３で構成されている。第２の側方部位被係合部５７１は、帽体５０７の中心を通り上下前後方向に展開している平面に対して、第１の側方部位被係合部５６７と対称に設けられている。すなわち、各側方部位被係合部５６７，５７１は、２つの前側突起５８３と２つの後側突起５８３とで構成されている。
【０２４１】
なお、図４７（ａ）は、側方部位被係合部５６７，５７１や後述する帽体係止部５８５の側面図であり、図４７（ｃ）は、図４７（ａ）におけるＸＬＶＩＩＣ矢視図であり、図４７（ｂ）は、図４７（ｃ）におけるＸＬＶＩＩＢ矢視図であり、図４７（ｄ）は、図４７（ｂ）におけるＸＬＶＩＩＤ−ＸＬＶＩＩＤ断面を示す図である。
【０２４２】
第１の側方部位被係合部５６７に第１の側方部位係合部５６５が係合した状態では、第１の側方部位５４１が帽体５０７の内壁に当接している。また、第１の側方部位被係合部５６７に第１の側方部位係合部５６５が係合した状態では、ガイド部材５０９（第１の側方部位５４１）は、帽体５０７に対して上下方向の移動が規制されており、帽体５０７に対して帽体５０７の前後方向（帽体５０７の内周の方向）にはわずかに移動できるようになっており、帽体５０７の厚さ方向では、帽体５０７の内側には移動できるようになっている。なお、帽体５０７の厚さ方向での移動は、ハンモック５１７を帽体５０７に設置することによって規制されるように構成されている。第２の側方部位被係合部５７１に第２の側方部位係合部５６９が係合した状態も、第１の側方部位被係合部５６７に第１の側方部位係合部５６５が係合した状態と同様になっている。
【０２４３】
帽体５０７にガイド部材５０９を設置し終えた状態では、第１の側方部位被係合部５６７に第１の側方部位係合部５６５が係合し、第２の側方部位被係合部５７１に第２の側方部位係合部５６９が係合し、中央部位被係合部５６３に中央部位係合部５６１が係合している。そして、ガイド部材５０９が帽体５０７に堅固に設置されている。
【０２４４】
また、帽体５０７にガイド部材５０９を設置し終えた状態では、ガイド部材５０９の下側の縁（第２の半円状端部曲線５３１と各側方部位５４１，５４３の下端部）は、帽体５０７の縁（開口部）の内側近傍で帽体５０７の縁に沿って延びている。さらに、帽体５０７にガイド部材５０９を設置し終えた状態で、帽体５０７やガイド部材５０９を下側から上側に向かって見ると、帽体５０７の縁は、ほぼ円環状（前後方向の径が幅方向の径よりも大きい円環状）に形成されている。これに対して、ガイド部材５０９は、後方のわずかの部位でつながっていない（各側方部位５４１，５４３の先端部同士がわずかに離れている）馬蹄形状に形成されている。なお、ガイド部材５０９が帽体５０７の縁と同様にして円環状になる構成であってもよい。
【０２４５】
第１の側方部位被係合部５６７のところや第２の側方部位被係合部５７１のところには、これらの被係合部５６７，５７１を構成している突起５８３よりも突出量（帽体５０７の内側への突出量）が大きい突起で構成された係止部（４つの突起で構成された帽体係止部）５８５が形成されている（図４６（ｃ）、図４７参照）。帽体係止部５８５はハンモック５１７を係止するための部位である。
【０２４６】
ガイド部材５０９の中央部位５２７の内側であって、第２の半円状端部曲線５３１の近くには、帽体係止部５８５と同様に構成された係止部（４つの突起で構成されたガイド部材係止部）５８７が形成されている（図４９（ｂ）、図５１参照）。ガイド部材係止部５８７も、ハンモック５１７を係止するための部位である。
【０２４７】
なお、図５１（ａ）は、ガイド部材係止部のうちで前方に位置しているガイド部材係止部５８７の側面図であり、図５１（ｃ）は、図５１（ａ）におけるＬＩＣ矢視図であり、図５１（ｂ）は、図５１（ｃ）におけるＬＩＢ矢視図であり、図５１（ｄ）は、図５１（ｂ）におけるＬＩＤ−ＬＩＤ断面を示す図である。
【０２４８】
また、図５１（ｅ）は、ガイド部材係止部のうちで後方に位置しているガイド部材係止部５８７の側面図であり、図５１（ｇ）は、図５１（ｅ）におけるＬＩＧ矢視図であり、図５１（ｆ）は、図５１（ｇ）におけるＬＩＦ矢視図であり、図５１（ｈ）は、図５１（ｆ）におけるＬＩＨ−ＬＩＨ断面を示す図である。
【０２４９】
ガイド部材５０９のガイド部材係止部５８７は、ガイド部材５０９の中心を通り上下前後方向に展開している平面に対して対称に設けられている。これらにより、帽体５０７にガイド部材５０９を設置し終えた状態では、係止部５８５，５８７が合計で８箇所に設けられていることになる。
【０２５０】
そして、帽体５０７にガイド部材５０９を設置し終えた状態で、帽体係止部５８５とガイド部材係止部５８７とに、ハンモック５１７の被係止部５８９を係止して、ハンモック５１７を帽体５０７に設置し終えたときに、ガイド部材５０９の各側方部位５４１，５４３が、帽体５０７とハンモック５１７の被係止部５８９とに挟まれて、ガイド部材５０９の各側方部位５４１，５４３が帽体５０７の内壁に接して、前述したように、ガイド部材５０９の各側方部位５４１，５４３が帽体５０７に対してほぼ固定されて設置されるようになっている（図４２（ｂ）、図４２（ｃ）参照）。なお、図４２（ｂ）は、図４１におけるＸＬＩＩＢ−ＸＬＩＩＢ断面を示す図であり、図４２（ｃ）は、図４１におけるＸＬＩＩＣ−ＸＬＩＩＣ断面を示す図である。
【０２５１】
各側方部位５４１，５４３の角部が丸められて形成されている。すなわち、第１の側方部位５４１や第２の側方部位５４３の長手方向の先端部（中央部位５２７とは反対側の端部）の２箇所の角部（上下方向では両端部に位置している角部）の外形線が、側方部位５４１，５４３の厚さ方向から見た場合、１／４の円弧状に形成されている（図４９（ａ）の参照符号５９１を参照）。さらに、側方部位５４１，５４３の他の部位（長手方向の中間部であって上下方向では下端部）でも、角部が丸められて形成されている（図４９（ａ）の参照符号５９３を参照）。
【０２５２】
各側方部位５４１，５４３の角部が丸められて形成されていることにより、応力集中によるガイド部材５０９の破損を防止することができ、また、ガイド部材５０９による帽体５０７やシールド板５０３や保護帽５０１の着用者への傷付きを防止することができる。
【０２５３】
ところで、ガイド部材５０９のガイド部５２３は、前述しように、たとえば、３つ長円状の貫通孔５３５，５３７，５３９で構成されている。これに応じて、シールド板５０３の係合部５２５は、３つの円柱状の部位５９５で構成されている（図４５を参照）。
【０２５４】
そして、係合部５２５を構成している円柱状の部位５９５のそれぞれが、ガイド部材５０９のガイド部５２３を構成している３つの貫通孔５３５，５３７，５３９のそれぞれに係合することにより（円柱状の部位５９５が貫通孔５３５，５３７，５３９に入り込むことにより）、シールド板５０３がガイドされて、収納位置Ｐ５０１と被覆位置Ｐ５０３との間で移動するようになっている。
【０２５５】
詳しく説明をすると、長円状の貫通孔５３５，５３７，５３９の幅Ｂ５０１は、円柱状の部位５９５の外径Ｄ５０１よりもごくわずかに大きくなっている（図４５（ｂ）参照）。また、円柱状の部位５９５の両端部には、外径が円柱状の部位５９５の外径よりも大きい円板状のフランジ部５９９，６０１が一体で設けられていることにより、係合部材５９７が形成されている（図４５（ａ）参照）。
【０２５６】
シールド板５０３の上端部には、図５２（ａ）で示すように、係合部材５９７を設置するための半円板状の設置部６０３が一体で設けられている。半円板状の設置部６０３の中央部には、半円板状の設置部６０３をこの厚さ方向で貫通している貫通孔（内径が係合部材５９７の円柱状部位５９５の外径Ｄ５０１よりもわずかに大きい貫通孔）６０５が形成されている。なお、設置部６０３や貫通孔６０５は、ガイド部材５０９の３つの貫通孔５３５，５３７，５３９に対応して３箇所に設けられている。
【０２５７】
そして、円柱状部位５９５の両端部に設けられている各フランジ部５９９，６０１の間に、シールド板５０３の設置部６０３とガイド部材５０９の中央部位５２７とが入り込んで、各フランジ部５９９，６０１でシールド板５０３の設置部６０３とガイド部材５０９の中央部位５２７とが挟み込まれ、円柱状部位５９５がガイド部５２３の長円状の貫通孔５３５，５３７，５３９と設置部６０３の円形の貫通孔６０５とを貫通している。これにより、帽体５０７やガイド部材５０９に対してシールド板５０３が移動するとき、シールド板５０３は、ガイド部５２３を構成している貫通孔５３５，５３７，５３９のほぼ長手方向にのみ移動するようになっている。
【０２５８】
なお、円柱状部位５９５と各フランジ部５９９，６０１とで構成されている係合部材（フランジ付部材）５９７は、一方の端部にフランジ部５９９を備えた第１の筒状部材６０７と他方の端部にフランジ部６０１を備えた第２の筒状部材６０９と、各筒状部材６０７，６０９の中心軸に沿って貫通しカシメによって各筒状部材６０７，６０９を一体化しているリベット６１１とで構成されている。
【０２５９】
シールド板５０３が収納位置Ｐ５０１に位置している状態では、フランジ付部材５９７の円柱状の部位５９５が、各長円状の貫通孔５３５，５３７，５３９の上端部に当接している。一方、シールド板５０３が被覆位置Ｐ５０３に位置している状態では、フランジ付部材５９７の円柱状の部位５９５が、各長円状の貫通孔５３５，５３７，５３９の下端部に当接している。
【０２６０】
また、保護帽５０１には、保護帽１，２０１と同様にして、シールド板５０３が収納位置Ｐ５０１や被覆位置Ｐ５０３に位置している状態を保持するための保持手段６１３が設けられている。ここで、保持手段６１３について詳しく説明する。
【０２６１】
ガイド部５２３を形成している３つの長円状の貫通孔５３５，５３７，５３９のうちで左右の側に存在している２つの長円状の貫通孔５３７，５３９の幅は、一定になっている。一方、ガイド部５２３を形成している３つの長円状の貫通孔５３５，５３７，５３９のうちで中央に存在している長円状の貫通孔５３５は、この長手方向の端部の近傍で、幅がごくわずかに小さくなっている（図４５（ｂ）参照）。これにより、シールド板５０３が収納位置Ｐ５０１や被覆位置Ｐ５０３でこの位置を維持できるようになっている。
【０２６２】
さらに詳しく説明すると、図４５（ｂ）で示すように、ガイド部材５０９の中央に存在している長円状の貫通孔（中央貫通孔）５３５の上端部位６１５は円弧で馬蹄形状に形成されている。円弧状で馬蹄形状に形成されている上端部位６１５の円弧の直径Ｄ５０３は、フランジ付部材５９７の円柱状部位５９５の外径Ｄ５０１と等しいかごくわずかに大きくなっている。
【０２６３】
上端部位６１５の両端部６１７同士の距離（円弧状で馬蹄形状の上端部位６１５の出口における幅方向の距離）Ｌ５０１は、フランジ付部材５９７の円柱状部位５９５の外径Ｄ５０１よりもわずかに小さくなっている。そして、長円状の中央貫通孔５３５の長手方向の中間部に位置しているフランジ付部材５９７が、長円状の中央貫通孔５３５の上端部位６１５まで移動するときに、フランジ付部材５９７の円柱状部位５９５が、上端部位６１５の両端部６１７に接触して、ガイド部材５０９の一部が弾性変形し、両端部６１７間の距離Ｌ５０１が、円柱状部位５９５の外径Ｄ５０１の値まで大きくなるように構成されている。さらに、フランジ付部材５９７を移動して、フランジ付部材５９７の円柱状部位５９５が上端部位６１５に位置すると、各両端部６１７が復元し、フランジ付部材５９７の位置が保持されるようになっている。
【０２６４】
両端部６１７と、両端部６１７から長円状の貫通孔５３５の下端側に所定の距離だけ離れている離間部位６１９との間では、この離間部位６１９から両端部６１７に向かうにしたがって、長円状の貫通孔５３５の幅が少しずつ次第に狭くなっている。すなわち、離間部位６１９と両端部６１７との間にはテーパ部６２１が形成されている。これにより、シールド板５０３を被覆位置Ｐ５０３から収納位置Ｐ５０１に移動するときに、フランジ付部材５９７の円柱状部位５９５が馬蹄形状の上端部位６１５の両端部６１７にいきなり当接することがなくなり、上端部位６１５の両端部６１７の損傷を防止することができる。
【０２６５】
なお、長円状の貫通孔５３５の下端部側も上端部側と同様なテーパ部等を備えて形成されている。また、馬蹄形状の両端部６１７の弾性変形をしやすくするために、馬蹄形状の両端部６１７の外側の近傍には、一対の貫通孔（ガイド部材５０９の中央部位５２７をこの厚さ方向で貫通している円形状の２つの貫通孔）６２３が設けられている。
【０２６６】
なお、上記貫通孔６２３を、長円状の貫通孔５３５の上端部側に設けることに代えてもしくは加えて、長円状の貫通孔５３５の下端部側に設けてあってもよい。
【０２６７】
さらに、上述した保持手段６１３等を、中央の長円状の貫通孔５３５に設けることに代えてもしくは加えて、左右の長円状の貫通孔５３７，５３９に設けた構成であってもよい。
【０２６８】
ところで、ガイド部材５０９の中央部位５２７に設けられている長円状の貫通孔５３５，５３７，５３９の周辺には、中央部位５２７の内側にわずかに凹んだ凹部６２５が設けられている。この凹部６２５は所定の幅を備えて、各長円状の貫通孔５３５，５３７，５３９を囲むように設けられている。また、上述したようにシールド板５０３の上端部に設けられている設置部６０３も、シールド板５０３の内側にわずかに凹んで設けられている（図５２（ｂ）、図５３参照）。これらの３つの凹部６２５の近傍であって、ガイド部材５０９の中央部位５２７の第２の半円状端部曲線５３１のところには、３つの突起６２７が設けられている。これらの３つの突起６２７は、ガイド部材５０９の中央部位５２７の厚さ方向で中央部位５２７の前側（外側）に突出している。
【０２６９】
３つの貫通孔５３５，５３７，５３９に対応して設けられた３つのフランジ付部材５９７を用いてガイド部材５０９にシールド板５０３を設置した状態では、シールド板５０３の上端部の３箇所が、フランジ付部材５９７を介して、ガイド部材５０９に支持されており、シールド板５０３の上端部に設けられている設置部６０３が、中央部位５２７に設けられている凹部６２５に入り込んでいると共に、シールド板５０３の内側の面が中央部位５２７の各突起６２７に、たとえば、詳しくは後述するパッキン６３１を間にして間接的に当接している。
【０２７０】
さらに、シールド板５０３が設置されたガイド部材５０９を帽体５０７に設置した状態では、シールド板５０３の外側の面と帽体５０７の前側の半円弧状の縁との間にはわずかな間隙６２９が形成されている（図３９参照）。
【０２７１】
これにより、常態（直立している着用者が保護帽５０１を単に被っている状態）では、シールド板５０３の上端部の３箇所が、フランジ付部材５９７を介して、ガイド部材５０９に支持されており、さらに、シールド板５０３の内側の面が中央部位５２７の突起６２７に、たとえば、詳しくは後述するパッキン６３１を間にして間接的に当接し、シールド板５０３がガイド部材５０９に支持されており、シールド板５０３が、収納位置Ｐ５０１と被覆位置Ｐ５０３との間で円弧状の移動をするようになっている。
【０２７２】
また、シールド板５０３が設置されたガイド部材５０９を帽体５０７に設置した状態で、シールド板５０３の下端を持ち上げる方向もしくはシールド板５０３を着用者の顔面から離す方向の外力が、シールド板５０３にかかった場合、シールド板５０３の外側の面と帽体５０７の前側の円弧状の縁との間にはわずかな間隙６２９がなくなり、シールド板５０３の外側の面が帽体５０７の前側の円弧状の縁に、たとえば、詳しくは後述するパッキン６３１を間にして間接的に当接し、上記外力によるシールド板５０３の回動が規制されるようになっている。
【０２７３】
すなわち、シールド板５０３は、この上端部の設置部６０３でガイド部材５０９に係合している。また、シールド板５０３は、この下側の部位（帽体５０７の着用者の顔面を覆う部位）で、突起６２７と帽体５０７の前側の半円弧状の縁とに挟まれて突起６２７と帽体５０７の前側の半円弧状の縁とのいずれかに係合している。そして、シールド板５０３が大きくがたつくことが防止されている。
【０２７４】
なお、上述した係合する部位以外のシールド板５０３の部位は、ガイド部材５０９や帽体５０７とはわずかな隙間を隔てて対向している。
【０２７５】
ガイド部材５０９の中央部位５２７に設けられている３つの突起６２７およびこの周辺と、間隙６２９を形成している帽体５０７の縁とこの近傍には、たとえば板状のパッキン（低摩擦部材；傷付き防止材）６３１が貼り付けられている（図４４（ａ）、図４６（ｃ）参照）。これにより、シールド板５０３（設置部６０３や庇２１７を除く）がガイド部材５０９や帽体５０７とに接触することがなくなり、シールド板５０３が収納位置Ｐ５０１と被覆位置Ｐ５０３との間を小さい摩擦抵抗で移動できると共に、帽体５０７の着用者の視界に入るシールド板５０３の部位（図５２（ａ）等に示したＡＮＳＩ規格の光学特性範囲５１０）に傷が付くことが防止される。
【０２７６】
ガイド部材５０９の中央部に設けられているパッキン６３１Ａは、「コ」字状に形成されており、中央の長円状の貫通孔５３５を挟むようにして、ガイド部材５０９の下端から上端に向かって、他のパッキン６３１よりも長く設けられている。これにより、シールド板５０３への傷付きを一層確実に防止することができる。
【０２７７】
ガイド部材５０９の中央部位５２７に設けられている長円状の各貫通孔５３５，５３７，５３９と、これらの貫通孔５３５，５３７，５３９のまわりに形成されている凹部６２５と、ガイド部材係止部５８７との位置関係についてより詳しく説明する。
【０２７８】
ガイド部材係止部５８７は、前述したように、また、図４３（ｂ）で示すように４箇所に設けられている。最も左側に位置しているガイド部材係止部５８７Ａは、第２の半円状端部曲線５３１の延伸方向で、左側の中央部位係合部５６１Ａと左側の貫通孔５３７との間のほぼ中央に位置しており、次に左側に位置しているガイド部材係止部５８７Ｂは、第２の半円状端部曲線５３１の延伸方向で、左側の貫通孔５３７の凹部６２５に隣接して、左側の貫通孔５３７と中央の貫通孔５３５との間に位置している。また、右側に位置している２つのガイド部材係止部５８７Ｃ，５８７Ｄは、ガイド部材５０９の中心を通り上下前後方向に展開している平面に対して、右側のガイド部材係止部５８７Ａ，５８７Ｂと対称に設けられている。
【０２７９】
このような位置にガイド部材係止部５８７が設けられているので、ガイド部材係止部５８７とガイド部材５０９のガイド部５２３との干渉を避けつつ、ハンモック５１７をガイド部材５０９の適宜の位置に設置することができ、帽体５０７に加わった外力をハンモック５１７と適切に受けることができる。
【０２８０】
また、帽体係止部５８５のうちでもっとも左側に設けられている係止部５８５Ａもしくは次に左側に設けられている係止部５８５Ｂと（図４６（ｃ）参照）、ガイド部材係止部５８７のうちでもっとも左側に設けられている係止部５８７Ａと（図４３（ｂ）参照）に、耳紐（あご紐）５１５の被係止部６３３を係合させて、さらに、帽体係止部５８５のうちでもっとも右側に設けられている係止部５８５Ｄもしくは次に右側に設けられている係止部５８５Ｃと（図４６（ｃ）参照）、ガイド部材係止部５８７のうちでもっとも右側に設けられている係止部５８７Ｄと（図４３（ｂ）参照）に、別の耳紐（あご紐）５１５の被係止部６３３を係合させて、各あご紐５１５を帽体５０７やガイド部材５０９の適宜の位置に設置することができ、保護帽５０１の着用者が違和感なく保護帽５０１を着用し着用者の頭部に各あご紐５１５を用いて保護帽５０１を固定することができる。
【０２８１】
なお、すでに理解されるように、帽体係止部５８５が帽体５０７の後側に設けられており、ガイド部材５０９が帽体５０７の前側に設けられているので、帽体係止部５８５はガイド部材係止部５８７よりも後側に位置している。
【０２８２】
あご紐５１５の被係止部６３３を帽体係止部５８５やガイド部材係止部５８７に係合させた後、ハンモック５１７の被係止部５８９を帽体係止部５８５やガイド部材係止部５８７に係合させることにより、あご紐５１５（被係止部６３３）やハンモック５１７（被係止部５８９）が、帽体５０７やガイド部材５０９に一体的に設置されるようになっている。なお、ハンモック５１７は、帽体５０７やガイド部材５０９に対して容易に着脱自在になっており、一旦設置されたハンモック５１７は、帽体５０７やガイド部材５０９から容易には外れないようになっている。
【０２８３】
さらに、保護帽５０１では、ガイド部材５０９の各側方部位５４１，５４３とあご紐５１５の被係止部６３３とが、帽体５０７とハンモック５１７の被係止部５８９とで挟まれて、帽体５０７に一体的に設置されている（図４２（ｂ）参照）。
【０２８４】
保護帽５０１によれば、ガイド部材５０９が球面状の曲面を備えて板状に形成された中央部位５２７を備えており、ガイド部５２３が中央部位（たとえば、幅方向で中央部位５２７の中央寄り）５２７に形成されているので、いわゆるナローガイドが形成されていることになり、ガイド部５２３を中央部位５２７の側方側（幅方向における各端部側）に設けた場合に比べて、シールド板５０３の出し入れ（収納位置Ｐ５０１と被覆位置Ｐ５０３との間での移動）をスムーズに行うことができる。
【０２８５】
また、保護帽５０１によれば、ガイド部材５０９が中央部位５２７と各側方部位５４１，５４３とを備えて構成されており、各側方部位５４１，５４３の近傍で中央部位５２７に形成されている一対の中央部位係合部５６１（５６１Ａ，５６１Ｂ）が帽体５０７に設けられている一対の中央部位被係合部５６３に係合し、各側方部位５４１，５４３に形成されている側方部位係合部５６５，５６９が帽体５０７に形成されている側方部位被係合部５６７，５７１に係合しているので、シールド板５０３を出し入れする場合において、帽体５０７に対するガイド部材５０９のがたつきを少なくすることができる。
【０２８６】
すなわち、シールド板５０３を出し入れする場合、ガイド部材５０９でシールド板５０３をガイドしているので、帽体５０７の幅方向に延びている軸Ｃ５０１を中心とした回転モーメントがガイド部材５０９にかかり、この回転モーメントがガイド部材５０９から帽体５０７に伝わるのであるが、帽体５０７の中央部位被係合部５６３に係合しているガイド部材５０９の中央部位係合部５６１が支点になり、帽体５０７の側方部位被係合部５６７，５７１に係合しているガイド部材５０９の側方部位係合部５６５，５６９が回転モーメントを受けるので、上記がたつきを少なくすることができる。
【０２８７】
また、ガイド部材５０９の側方部位係合部５６５，５６９を、左側に２箇所、右側に２箇所に設けてあるので、がたつきを一層少なくすることができる。さらに左側の２つの側方部位係合部５６５のうちの後側の側方部位係合部（貫通孔５８１）と、右側の２つの側方部位係合部５６５のうちの後側の側方部位係合部（貫通孔５８１）とが、帽体５０７の後端部の近傍に位置しているので、支点となる中央部位係合部５６１と後側の側方部位係合部５６５との間の距離が大きくなっており、がたつきをさらに一層少なくすることができる。
【０２８８】
さらに、保護帽５０１によれば、ガイド部材５０９のガイド部５２３が３つの長円状の貫通孔５３５，５３７，５３９で構成されており、シールド板５０３の係合部５２５が３つの円柱状の部位５９５で構成されており、円柱状の部位５９５のそれぞれが、３つの貫通孔５３５，５３７，５３９のそれぞれに係合することによりシールド板５０３がガイドされて、収納位置Ｐ５０１と被覆位置Ｐ５０３との間で移動するように構成されているので、簡素な構成で、ガイド部材５０９に対するシールド板５０３のがたつきを小さくしつつ、シールド板５０３がガイド部材５０９に対してスムーズに移動するようになっている。
【０２８９】
なお、シールド板５０３として、着用者の顔の上半分のみを覆うハーフタイプのものを採用してもよい。また、シールド板５０３を、第１の実施形態に係るシールド板と同様に形成してもよい。すなわち、たとえば、図１５や図１６で示すように、中央部から周辺部に向かうにしたがって厚さが徐々に薄くなっている形状に形成してもよい。
【符号の説明】
【０２９０】
１    ヘルメット（保護帽）
３    帽体
５    シールド板（シールド部材）
７    ガイド手段
１７  庇（庇部）
７５  凹部
【図１】
0005531043.tif 000002
【図２】
0005531043.tif 000003
【図３】
0005531043.tif 000004
【図４】
0005531043.tif 000005
【図５】
0005531043.tif 000006
【図６】
0005531043.tif 000007
【図７】
0005531043.tif 000008
【図８】
0005531043.tif 000009
【図９】
0005531043.tif 000010
【図１０】
0005531043.tif 000011
【図１１】
0005531043.tif 000012
【図１２】
0005531043.tif 000013
【図１３】
0005531043.tif 000014
【図１４】
0005531043.tif 000015
【図１５】
0005531043.tif 000016
【図１６】
0005531043.tif 000017
【図１７】
0005531043.tif 000018
【図１８】
0005531043.tif 000019
【図１９】
0005531043.tif 000020
【図２０】
0005531043.tif 000021
【図２１】
0005531043.tif 000022
【図２２】
0005531043.tif 000023
【図２３】
0005531043.tif 000024
【図２４】
0005531043.tif 000025
【図２５】
0005531043.tif 000026
【図２６】
0005531043.tif 000027
【図２７】
0005531043.tif 000028
【図２８】
0005531043.tif 000029
【図２９】
0005531043.tif 000030
【図３０】
0005531043.tif 000031
【図３１】
0005531043.tif 000032
【図３２】
0005531043.tif 000033
【図３３】
0005531043.tif 000034
【図３４】
0005531043.tif 000035
【図３５】
0005531043.tif 000036
【図３６】
0005531043.tif 000037
【図３７】
0005531043.tif 000038
【図３８】
0005531043.tif 000039
【図３９】
0005531043.tif 000040
【図４０】
0005531043.tif 000041
【図４１】
0005531043.tif 000042
【図４２】
0005531043.tif 000043
【図４３】
0005531043.tif 000044
【図４４】
0005531043.tif 000045
【図４５】
0005531043.tif 000046
【図４６】
0005531043.tif 000047
【図４７】
0005531043.tif 000048
【図４８】
0005531043.tif 000049
【図４９】
0005531043.tif 000050
【図５０】
0005531043.tif 000051
【図５１】
0005531043.tif 000052
【図５２】
0005531043.tif 000053
【図５３】
0005531043.tif 000054